(57)【要約】  本発明は、無停電電源供給が可能な電源供給システムに関し、複数の電源モジュールの接続を断続する複数の遮断器を備え、システム上で発生する様々な状況に応じて前記遮断器を開閉して電源の受供給を制御することにより、複数の電源モジュール間でＵＰＳ機能を実行する電源供給システムに関する。
2021536219.tif 000002
【特許請求の範囲】
【請求項１】
１つ以上の電源供給源から供給された電源をＤＣ電源に変換し、前記変換されたＤＣ電源を負荷の駆動電源に変換し、前記負荷に供給する複数の電源盤と、
１つ以上の電源供給源から供給された電源をＤＣ電源に変換し、前記複数の電源盤に接続されると、前記変換されたＤＣ電源を前記複数の電源盤に供給する供給盤と、
前記複数の電源盤のそれぞれの電源端と前記供給盤間に配置される複数の遮断器とを含み、
前記複数の遮断器は、
前記複数の電源盤及び前記供給盤の１つ以上の電源供給状態によって開閉を変えて、前記複数の電源盤と前記供給盤間で前記ＤＣ電源を接続又は切断することを特徴とする電源供給システム。
【請求項２】
前記１つ以上の電源供給源は、
ＡＣ電源を供給する第１交流電源及び第２交流電源と、
ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含むことを特徴とする請求項１に記載の電源供給システム。
【請求項３】
前記バッテリ電源は、
前記電源供給が中断されてから前記電源供給が切り替えられて復旧されるまで、前記蓄えられた電源を前記複数の電源盤に無瞬断で供給することを特徴とする請求項２に記載の電源供給システム。
【請求項４】
前記１つ以上の電源供給源は、
前記第１交流電源、前記第２交流電源及び前記バッテリ電源の電源供給が中断されると、非常発電電源を前記負荷に供給する非常用電源をさらに含むことを特徴とする請求項２に記載の電源供給システム。
【請求項５】
前記複数の電源盤のそれぞれは、
前記１つ以上の電源供給源から供給された電源を前記ＤＣ電源に変換する１つ以上の第１電力変換装置と、
前記１つ以上の第１電力変換装置から供給された前記ＤＣ電源を前記駆動電源に変換して前記負荷に供給する第２電力変換装置とを含むことを特徴とする請求項２に記載の電源供給システム。
【請求項６】
前記複数の電源盤は、
前記１つ以上の電源供給源の状態によって、前記１つ以上の第１電力変換装置のいずれかにより前記第２電力変換装置に前記ＤＣ電源を供給することを特徴とする請求項５に記載の電源供給システム。
【請求項７】
前記複数の電源盤は、
前記第２電力変換装置に前記ＤＣ電源を供給する変換装置の電源供給が中断されると、前記変換装置以外の他の変換装置により前記第２電力変換装置に前記ＤＣ電源を供給することを特徴とする請求項６に記載の電源供給システム。
【請求項８】
前記１つ以上の第１電力変換装置は、
前記変換装置が前記他の変換装置に切り替えられる間、前記バッテリ電源から電源供給を受ける変換装置により前記第２電力変換装置に前記ＤＣ電源を供給することを特徴とする請求項７に記載の電源供給システム。
【請求項９】
前記供給盤に電源を供給する電源供給源は、
少なくとも前記バッテリ電源を含むことを特徴とする請求項２に記載の電源供給システム。
【請求項１０】
前記供給盤は、
前記第１交流電源及び前記第２交流電源からさらに電源が供給され、
前記第１交流電源、前記第２交流電源及び前記バッテリ電源のそれぞれから供給された電源を前記ＤＣ電源に変換する１つ以上の第１電力変換装置を含むことを特徴とする請求項９に記載の電源供給システム。
【請求項１１】
前記供給盤は、
前記１つ以上の第１電力変換装置から供給された前記ＤＣ電源を前記供給盤に接続された負荷に供給するための駆動電源に変換し、前記駆動電源を前記接続された負荷に供給する第２電力変換装置をさらに含むことを特徴とする請求項１０に記載の電源供給システム。
【請求項１２】
前記複数の遮断器は、
前記複数の電源盤と前記供給盤間で前記ＤＣ電源を接続する場合に閉路され、前記複数の電源盤間で前記ＤＣ電源を切断する場合に開路されることを特徴とする請求項２に記載の電源供給システム。
【請求項１３】
前記複数の遮断器は、
前記複数の電源盤の１つ以上の電源供給が中断されると、前記電源供給が中断された電源盤の電源端に接続された遮断器が閉路され、前記電源供給が中断された電源盤を前記供給盤に接続し、前記供給盤から前記電源供給が中断された電源盤に前記ＤＣ電源が供給されるようにすることを特徴とする請求項１２に記載の電源供給システム。
【請求項１４】
前記電源供給が中断されるとは、
前記複数の電源盤に電源を供給する前記１つ以上の電源供給源、前記複数の電源盤の前記ＤＣ電源、前記駆動電源、前記１つ以上の第１電力変換装置、及び前記負荷の少なくとも１つの状態が変動し、前記負荷への前記駆動電源の供給に異常が発生することであることを特徴とする請求項１３に記載の電源供給システム。
【請求項１５】
前記電源供給が中断されるとは、
前記複数の電源盤の前記第１交流電源及び前記第２交流電源の電源供給が中断されること、前記第１交流電源及び前記第２交流電源から電源供給を受ける１つ以上の第１電力変換装置の動作が中断されること、前記ＤＣ電源が初期状態から変動すること、前記駆動電源が初期状態から変動すること、及び前記負荷の駆動状態が変動することの少なくとも１つであることを特徴とする請求項１３に記載の電源供給システム。
【請求項１６】
前記電源供給が中断された電源盤は、
前記電源供給が中断されてから前記供給盤から導通した前記ＤＣ電源が供給されるまで、前記バッテリ電源に接続された変換装置から前記ＤＣ電源が供給されることを特徴とする請求項１３に記載の電源供給システム。
【請求項１７】
前記供給盤は、複数からなり、
前記複数の供給盤毎にそれぞれ前記ＤＣ電源を供給する供給対象電源盤が予め指定され、前記予め指定された供給対象電源盤に対して前記ＤＣ電源を供給することを特徴とする請求項１に記載の電源供給システム。
【請求項１８】
前記供給対象電源盤は、
前記複数の電源盤が複数のグループに分けられ、前記分けられたグループ別に前記複数の供給盤のそれぞれに予め指定され、
前記複数の供給盤のそれぞれは、
前記分けられたグループに属する供給対象電源盤に対して前記ＤＣ電源を供給することを特徴とする請求項１７に記載の電源供給システム。
【請求項１９】
前記供給盤は、
前記複数の電源盤のそれぞれが所定距離以内で離隔する位置に備えられることを特徴とする請求項１に記載の電源供給システム。
【請求項２０】
１つ以上の電源供給源から供給された電源をＤＣ電源に変換し、前記ＤＣ電源を負荷の駆動電源に変換し、前記負荷に供給する複数の電源盤と、
前記複数の電源盤のそれぞれの一側に配置され、前記複数の電源盤のそれぞれの一側と前記一側に隣接する電源盤の他側間で２つの電源盤の電源端を接続又は分離する複数の遮断器とを含み、
前記複数の遮断器は、
前記複数の電源盤の１つ以上において電源供給が中断されると、前記電源供給が中断された電源盤の一側及び他側に接続された遮断器の１つ以上が閉路され、前記電源供給が中断された電源盤の電源端を前記電源供給が中断された電源盤の両側に接続された電源盤の電源端の１つ以上に接続することを特徴とする電源供給システム。
【請求項２１】
前記１つ以上の電源供給源は、
ＡＣ電源を供給する第１交流電源及び第２交流電源と、
ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含み、
前記バッテリ電源は、
前記電源供給が中断されてから前記電源供給が切り替えられて復旧されるまで、前記蓄えられた電源を前記複数の電源盤に無瞬断で供給することを特徴とする請求項２０に記載の電源供給システム。
【請求項２２】
前記複数の電源盤のそれぞれは、
前記電源端が、前記複数の遮断器のうちいずれか２つの遮断器に接続されることを特徴とする請求項２１に記載の電源供給システム。
【請求項２３】
前記複数の電源盤は、
いずれか１つの電源盤の電源端に隣接する２つの電源盤の電源端間にそれぞれ前記複数の遮断器のそれぞれが配置されることを特徴とする請求項２２に記載の電源供給システム。
【請求項２４】
前記複数の電源盤のそれぞれは、
前記電源端の一端に該当する第１電源端と、前記電源端の他端に該当する第２電源端とを含み、
前記複数の遮断器は、
２つの電源盤間にそれぞれ配置され、一側の電源盤の第１電源端と他側の電源盤の第２電源端を接続又は分離することを特徴とする請求項２１に記載の電源供給システム。
【請求項２５】
前記複数の遮断器は、
前記複数の電源盤に対応する数で備えられることを特徴とする請求項２１に記載の電源供給システム。
【請求項２６】
前記複数の遮断器は、
前記複数の電源盤の１つ以上の電源供給が中断されると、前記電源供給が中断された電源盤と前記電源供給が中断された電源盤に隣接する電源盤間に配置された遮断器が閉路され、前記電源供給が中断された電源盤を前記隣接する電源盤に接続し、前記隣接する電源盤から前記電源供給が中断された電源盤に前記ＤＣ電源が供給されるようにすることを特徴とする請求項２１に記載の電源供給システム。
【請求項２７】
前記電源供給が中断された電源盤は、
前記電源供給が中断されてから前記隣接する電源盤から導通した前記ＤＣ電源が供給されるまで、前記バッテリ電源に接続された変換装置から前記ＤＣ電源が供給されることを特徴とする請求項２６に記載の電源供給システム。
【発明の詳細な説明】
【技術分野】
【０００１】
本発明は、無停電電源供給が可能な電源供給システムに関する。
【背景技術】
【０００２】
本発明の背景となる技術は、複数の電源供給装置を含むシステムである。
【０００３】
複数の電源装置がそれぞれの負荷に電源を供給するシステムは、ＤＣバスラインを介して共通に接続されるようにしてもよい。このように共通のバスラインを介して接続された場合、ＤＣバスラインを介して隣接する電源装置と電源を受供給できるという利点がある。しかし、このようにシステムを構成した場合、システムの安定性の問題、電源受供給の制御の困難性、事故発生時の対処方法の不在などの限界がある。
【０００４】
複雑な構成からなる電源装置を複数備えるので、装置間の互換性が劣る場合、システムの運用が安定して行われなくなる。また、各装置から電源供給を受ける負荷が電源供給を常時必要とする重要負荷である場合、異常状態に対応するためのＵＰＳ装置を別途備えることが要求されるが、ＵＰＳ装置を備える場合、システムの構成がさらに複雑になり、構造的／設計的制約によりＵＰＳ装置を備えること自体も容易でないという問題がある。その上、構成が複雑になることにより、各装置及びシステムの制御がさらに複雑にならざるを得ず、故障や事故などの発生の危険性も高くなる。つまり、安定性及び信頼性のある電源供給が困難になり、負荷の運転が不安定にならざるを得ず、様々な事故の発生に対して適切な運転対応が取れなくなるという問題がある。
【発明の概要】
【発明が解決しようとする課題】
【０００５】
本発明は、前述した従来技術の限界を改善することを課題とする。
【０００６】
すなわち、本発明は、従来技術の限界を改善できる電源供給システムを提供する。
【０００７】
具体的には、システムに備えられた複数の電源モジュール間で電源の受供給が行われ、複数の電源モジュールのそれぞれが相互間でＵＰＳ機能を実行できる電源供給システムを提供する。
【０００８】
また、様々な異常状況で負荷への電源供給を効果的に維持できる電源供給システムを提供する。
【０００９】
さらに、様々な異常状況に対処して安定かつ適切に電源の受供給を行える電源供給システムを提供する。
【課題を解決するための手段】
【００１０】
上記課題を解決するための本発明による電源供給システムは、複数の電源モジュールが接続された電源バスに接続を断続する遮断器を備え、システム上で発生する様々な状況に応じて前記遮断器を開閉して電源の受供給を制御することを解決手段とする。
【００１１】
すなわち、本発明による電源供給システムは、複数の電源モジュールに対応する遮断器を備え、前記遮断器を制御して電源バスを介して電源を受供給することにより、前記複数の電源モジュール間でＵＰＳ機能を実行することを技術的特徴とする。
【００１２】
上記技術的特徴は、電源供給システムに適用して実施することができ、本発明は、上記技術的特徴を有する電源供給システムの実施形態を提供する。
【００１３】
上記技術的特徴を課題解決手段とする本発明の一実施形態による電源供給システムは、１つ以上の電源供給源から供給された電源をＤＣ電源に変換し、前記変換されたＤＣ電源を負荷の駆動電源に変換し、前記負荷に供給する複数の電源盤と、１つ以上の電源供給源から供給された電源をＤＣ電源に変換し、前記複数の電源盤に接続されると、前記変換されたＤＣ電源を前記複数の電源盤に供給する供給盤と、前記複数の電源盤のそれぞれの電源端と前記供給盤間に配置される複数の遮断器とを含み、前記複数の遮断器は、前記複数の電源盤及び前記供給盤の１つ以上の電源供給状態によって開閉を変えて、前記複数の電源盤と前記供給盤間で前記ＤＣ電源を接続又は切断する。
【００１４】
一実施形態において、前記１つ以上の電源供給源は、ＡＣ電源を供給する第１交流電源及び第２交流電源と、ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含んでもよい。
【００１５】
一実施形態において、前記バッテリ電源は、前記電源供給が中断されてから前記電源供給が切り替えられて復旧されるまで、前記蓄えられた電源を前記複数の電源盤に無瞬断で供給するようにしてもよい。
【００１６】
一実施形態において、前記１つ以上の電源供給源は、前記第１交流電源、前記第２交流電源及び前記バッテリ電源の電源供給が中断されると、非常発電電源を前記負荷に供給する非常用電源をさらに含んでもよい。
【００１７】
一実施形態において、前記複数の電源盤のそれぞれは、前記１つ以上の電源供給源から供給された電源を前記ＤＣ電源に変換する１つ以上の第１電力変換装置と、前記１つ以上の第１電力変換装置から供給された前記ＤＣ電源を前記駆動電源に変換して前記負荷に供給する第２電力変換装置とを含んでもよい。
【００１８】
一実施形態において、前記複数の電源盤は、前記１つ以上の電源供給源の状態によって、前記１つ以上の第１電力変換装置のいずれかにより前記第２電力変換装置に前記ＤＣ電源を供給するようにしてもよい。
【００１９】
一実施形態において、前記複数の電源盤は、前記第２電力変換装置に前記ＤＣ電源を供給する変換装置の電源供給が中断されると、前記変換装置以外の他の変換装置により前記第２電力変換装置に前記ＤＣ電源を供給するようにしてもよい。
【００２０】
一実施形態において、前記１つ以上の第１電力変換装置は、前記変換装置が前記他の変換装置に切り替えられる間、前記バッテリ電源から電源供給を受ける変換装置により前記第２電力変換装置に前記ＤＣ電源を供給するようにしてもよい。
【００２１】
一実施形態において、前記供給盤に電源を供給する電源供給源は、少なくとも前記バッテリ電源を含んでもよい。
【００２２】
一実施形態において、前記供給盤は、前記第１交流電源及び前記第２交流電源からさらに電源が供給され、前記第１交流電源、前記第２交流電源及び前記バッテリ電源のそれぞれから供給された電源を前記ＤＣ電源に変換する１つ以上の第１電力変換装置を含んでもよい。
【００２３】
一実施形態において、前記供給盤は、前記１つ以上の第１電力変換装置から供給された前記ＤＣ電源を前記供給盤に接続された負荷に供給するための駆動電源に変換し、前記駆動電源を前記接続された負荷に供給する第２電力変換装置をさらに含んでもよい。
【００２４】
一実施形態において、前記複数の遮断器は、前記複数の電源盤と前記供給盤間で前記ＤＣ電源を接続する場合に閉路され、前記複数の電源盤間で前記ＤＣ電源を切断する場合に開路されるようにしてもよい。
【００２５】
一実施形態において、前記複数の遮断器は、前記複数の電源盤の１つ以上の電源供給が中断されると、前記電源供給が中断された電源盤の電源端に接続された遮断器が閉路され、前記電源供給が中断された電源盤を前記供給盤に接続し、前記供給盤から前記電源供給が中断された電源盤に前記ＤＣ電源が供給されるようにしてもよい。
【００２６】
一実施形態において、前記電源供給が中断されるとは、前記複数の電源盤に電源を供給する前記１つ以上の電源供給源、前記複数の電源盤の前記ＤＣ電源、前記駆動電源、前記１つ以上の第１電力変換装置、及び前記負荷の少なくとも１つの状態が変動し、前記負荷への前記駆動電源の供給に異常が発生することであってもよい。
【００２７】
一実施形態において、前記電源供給が中断されるとは、前記第１交流電源及び前記第２交流電源の電源供給が中断されること、前記第１交流電源及び前記第２交流電源から電源供給を受ける１つ以上の第１電力変換装置の動作が中断されること、前記ＤＣ電源が初期状態から変動すること、前記駆動電源が初期状態から変動すること、及び前記負荷の駆動状態が変動することの１つ以上であってもよい。
【００２８】
一実施形態において、前記電源供給が中断された電源盤は、前記電源供給が中断されてから前記供給盤から導通した前記ＤＣ電源が供給されるまで、前記バッテリ電源に接続された変換装置から前記ＤＣ電源が供給されるようにしてもよい。
【００２９】
一実施形態において、前記供給盤は、複数からなり、前記複数の供給盤毎にそれぞれ前記複数の電源盤のうち前記ＤＣ電源を供給する供給対象電源盤が予め指定され、前記予め指定された供給対象電源盤に対して前記ＤＣ電源を供給するようにしてもよい。
【００３０】
一実施形態において、前記供給盤は、前記複数の電源盤のそれぞれが所定距離以内で離隔する位置に備えられてもよい。
【００３１】
また、上記技術的特徴を課題解決手段とする本発明の他の実施形態による電源供給システムは、１つ以上の電源供給源のそれぞれから供給された電源をＤＣ電源に変換し、前記ＤＣ電源を負荷の駆動のための駆動電源に変換し、前記駆動電源を前記負荷に供給する複数の電源盤と、前記複数の電源盤のそれぞれに共通に接続され、前記１つ以上の電源供給源の少なくとも１つから供給された電源を前記ＤＣ電源に変換し、前記複数の電源盤の状態によって前記ＤＣ電源を前記複数の電源盤に供給する供給盤と、前記複数の電源盤のそれぞれと前記供給盤の接続を断続する複数の遮断器と、前記複数の電源盤のそれぞれの状態によって前記複数の遮断器の開閉を制御して、前記複数の電源盤のそれぞれの前記ＤＣ電源の受供給を制御する制御装置とを含む。
【００３２】
一実施形態において、前記供給盤は、前記１つ以上の電源供給源のそれぞれから供給された電源を前記ＤＣ電源に変換するようにしてもよい。
【００３３】
一実施形態において、前記供給盤は、前記ＤＣ電源を前記駆動電源に変換し、前記駆動電源を前記負荷のうちの特定の負荷に供給するようにしてもよい。
【００３４】
一実施形態において、前記制御装置は、前記複数の電源盤のいずれか１つ以上に異常が発生すると、前記異常が発生した電源盤の遮断器を閉路し、前記供給盤から前記異常が発生した電源盤に前記ＤＣ電源が供給されるように制御してもよい。
【００３５】
一実施形態において、前記制御装置は、前記供給盤に異常が発生すると、前記異常が発生した電源盤に最も隣接する電源盤の遮断器を閉路し、前記隣接する電源盤から前記異常が発生した電源盤に前記ＤＣ電源が供給されるように制御してもよい。
【００３６】
一実施形態において、前記供給盤は、複数からなり、前記複数の供給盤毎にそれぞれ前記複数の電源盤のうち前記ＤＣ電源を供給する供給対象電源盤が予め指定され、前記予め指定された供給対象電源盤に対して前記ＤＣ電源を供給するようにしてもよい。
【００３７】
一実施形態において、前記供給対象電源盤は、前記複数の電源盤が複数のグループに分けられ、前記分けられたグループ別に前記複数の供給盤のそれぞれに予め指定され、前記複数の供給盤のそれぞれは、前記分けられたグループに属する供給対象電源盤に対して前記ＤＣ電源を供給するようにしてもよい。
【００３８】
一実施形態において、前記供給盤は、前記複数の電源盤のそれぞれが所定距離以内で離隔する位置に備えられてもよい。
【００３９】
一方、上記課題を解決するための本発明による電源供給システムは、複数の電源モジュールが接続された電路のそれぞれを断続する遮断器を備え、システム上で発生する様々な状況に応じて前記遮断器を開閉して電源の受供給を制御することを解決手段とする。
【００４０】
すなわち、本発明による電源供給システムは、複数の電源モジュールに対応する遮断器を備え、前記遮断器を制御して電源を受供給することにより、前記複数の電源モジュール間でＵＰＳ機能を実行することを技術的特徴とする。
【００４１】
上記技術的特徴は、電源供給システムに適用して実施することができ、本発明は、上記技術的特徴を有する電源供給システムの実施形態を提供する。
【００４２】
上記技術的特徴を課題解決手段とする本発明の一実施形態による電源供給システムは、１つ以上の電源供給源から供給された電源をＤＣ電源に変換し、前記ＤＣ電源を負荷の駆動電源に変換し、前記負荷に供給する複数の電源盤と、前記複数の電源盤のそれぞれの一側に配置され、前記複数の電源盤のそれぞれの一側と前記一側に隣接する電源盤の他側間で２つの電源盤の電源端を接続又は分離する複数の遮断器とを含み、前記複数の遮断器は、前記複数の電源盤の１つ以上において電源供給が中断されると、前記電源供給が中断された電源盤の一側及び他側に接続された遮断器の１つ以上が閉路され、前記電源供給が中断された電源盤の電源端を前記電源供給が中断された電源盤の両側に接続された電源盤の電源端の１つ以上に接続する。
【００４３】
一実施形態において、前記１つ以上の電源供給源は、ＡＣ電源を供給する第１交流電源及び第２交流電源と、ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含んでもよい。
【００４４】
一実施形態において、前記バッテリ電源は、前記電源供給が中断されてから前記電源供給が切り替えられて復旧されるまで、前記蓄えられた電源を前記複数の電源盤に無瞬断で供給するようにしてもよい。
【００４５】
一実施形態において、前記１つ以上の電源供給源は、前記第１交流電源、前記第２交流電源及び前記バッテリ電源の電源供給が中断されると、非常発電電源を前記負荷に供給する非常用電源をさらに含んでもよい。
【００４６】
一実施形態において、前記複数の電源盤のそれぞれは、前記１つ以上の電源供給源から供給された電源を前記ＤＣ電源に変換する１つ以上の第１電力変換装置と、前記１つ以上の第１電力変換装置から供給された前記ＤＣ電源を前記駆動電源に変換して前記負荷に供給する第２電力変換装置とを含んでもよい。
【００４７】
一実施形態において、前記複数の電源盤は、前記１つ以上の電源供給源の状態によって、前記１つ以上の第１電力変換装置のいずれかにより前記第２電力変換装置に前記ＤＣ電源を供給するようにしてもよい。
【００４８】
一実施形態において、前記複数の電源盤は、前記第２電力変換装置に前記ＤＣ電源を供給する変換装置の電源供給が中断されると、前記変換装置以外の他の変換装置により前記第２電力変換装置に前記ＤＣ電源を供給するようにしてもよい。
【００４９】
一実施形態において、前記１つ以上の第１電力変換装置は、前記変換装置が前記他の変換装置に切り替えられる間、前記バッテリ電源から電源供給を受ける変換装置により前記第２電力変換装置に前記ＤＣ電源を供給するようにしてもよい。
【００５０】
一実施形態において、前記複数の電源盤のそれぞれは、前記電源端が、前記複数の遮断器のうちいずれか２つの遮断器に接続されてもよい。
【００５１】
一実施形態において、前記複数の電源盤は、いずれか１つの電源盤の電源端に隣接する２つの電源盤の電源端間にそれぞれ前記複数の遮断器のそれぞれが配置されるようにしてもよい。
【００５２】
一実施形態において、前記複数の電源盤のそれぞれは、前記電源端の一端に該当する第１電源端と、前記電源端の他端に該当する第２電源端とを含み、前記複数の遮断器は、２つの電源盤間にそれぞれ配置され、一側の電源盤の第１電源端と他側の電源盤の第２電源端を接続又は分離するようにしてもよい。
【００５３】
一実施形態において、前記複数の遮断器は、前記複数の電源盤に対応する数で備えられてもよい。
【００５４】
一実施形態において、前記複数の遮断器は、前記複数の電源盤間で前記ＤＣ電源を接続する場合に閉路され、前記複数の電源盤間で前記ＤＣ電源を切断する場合に開路されるようにしてもよい。
【００５５】
一実施形態において、前記複数の遮断器は、前記複数の電源盤の１つ以上の電源供給が中断されると、前記電源供給が中断された電源盤と前記電源供給が中断された電源盤に隣接する電源盤間に配置された遮断器が閉路され、前記電源供給が中断された電源盤を前記隣接する電源盤に接続し、前記隣接する電源盤から前記電源供給が中断された電源盤に前記ＤＣ電源が供給されるようにしてもよい。
【００５６】
一実施形態において、前記電源供給が中断された電源盤は、前記電源供給が中断されてから前記隣接する電源盤から導通した前記ＤＣ電源が供給されるまで、前記バッテリ電源に接続された変換装置から前記ＤＣ電源が供給されるようにしてもよい。
【００５７】
一実施形態において、前記電源供給システムは、前記複数の電源盤及び前記複数の遮断器の少なくとも１つの状態を監視し、監視結果に基づいて前記複数の電源盤及び前記複数の遮断器の少なくとも１つを制御する制御装置をさらに含んでもよい。
【００５８】
また、上記技術的特徴を課題解決手段とする本発明の他の実施形態による電源供給システムは、複数の負荷と、複数の電源供給源のそれぞれから供給された電源をＤＣ電源に変換し、前記ＤＣ電源を前記複数の負荷の駆動のための駆動電源に変換し、前記駆動電源を前記複数の負荷に供給する複数の電源盤と、前記複数の電源盤のそれぞれにおいて前記ＤＣ電源が流れる出力端に共通に接続され、前記複数の電源盤のそれぞれから出力された前記ＤＣ電源が送られるバスラインと、前記バスラインにおいて前記複数の電源盤のうち隣接する２つの電源盤間の出力端が接続される電路のそれぞれに備えられ、前記複数の電源盤間の接続を断続する複数の遮断器と、前記複数の電源盤のそれぞれの状態によって前記複数の遮断器の開閉を制御して、前記バスラインを介しての前記複数の電源盤間の前記ＤＣ電源の受供給を制御する制御装置とを含む。
【００５９】
一実施形態において、前記制御装置は、前記複数の電源盤のいずれか１つ以上に異常が発生すると、前記異常が発生した電源盤と前記異常が発生した電源盤に隣接する電源盤が接続された電路のいずれか１つの電路の遮断器を閉路し、前記隣接する電源盤から前記異常が発生した電源盤に前記ＤＣ電源が供給されるように制御してもよい。
【００６０】
前述したような本発明による電源供給システムは、ＤＣ電源を供給／使用する電源モジュール、電源供給システム、電源供給システムの運用方法に適用して実施することができる。特に、ＤＣ ＵＰＳモジュール及びそれを備える電源供給システムに有効に適用して実施することができる。しかし、本明細書に開示される技術は、これらに限定されるものではなく、当該技術の技術的思想を適用できるあらゆる電源装置、電源供給装置、電源制御装置、電源供給システム、電力システム、電力制御システム、プラントシステム、プラント制御システム、プラント制御方法、エネルギー蓄積システム、エネルギー蓄積システムの制御方法又は運用方法、複数のモータ負荷を制御するモータ制御盤、モータ制御システム、モータ運転システムなどにも適用して実施することができる。
【発明の効果】
【００６１】
本発明による電源供給システムは、電源バスに接続された複数の電源モジュールのそれぞれの遮断器を制御して電源バスを介して電源の受供給を制御することにより、複数の電源モジュール間でＵＰＳ機能を実行することができるという効果がある。
【００６２】
また、本発明による電源供給システムは、互いに接続された複数の電源モジュールのそれぞれの遮断器を制御して電源の受供給を制御することにより、複数の電源モジュール間でＵＰＳ機能を実行することができるという効果がある。
【００６３】
よって、系統／システム上で様々な異常状況が発生しても、負荷への電源供給を中断することなく維持できるという効果がある。
【００６４】
すなわち、本発明による電源供給システムは、系統／システム上で発生する様々な異常状況に対処して適切かつ安定して電源供給を行えるという効果がある。
【００６５】
さらに、本発明による電源供給システムは、電源バスに接続された複数の電源モジュールのそれぞれの遮断器を発生状況に応じて制御して電源バスを介して電源の受供給を制御したり、互いに接続された複数の電源モジュールのそれぞれの遮断器を発生状況に応じて制御して電源の受供給を制御することにより、最小限の手段で効率的な運用を行えるという効果がある。
【００６６】
さらに、本発明による電源供給システムは、大容量システムの運用の安定性、信頼性及び効用性を増大させるという効果がある。
【００６７】
その結果、本発明による電源供給システムは、上記課題を解決し、従来技術の限界を改善できるという効果がある。
【図面の簡単な説明】
【００６８】
【図１】本発明の一実施形態による電源供給システムの構成を示す構成図である。
【図２】本発明の一実施形態による電源供給システムの電源盤の構成を示す構成図である。
【図３】本発明の一実施形態による電源供給システムの電源盤の具体的な構造構成を示す構成図である。
【図４】本発明の一実施形態による電源供給システムの電源盤の接続構造を示す概念図である。
【図５ａ】本発明の一実施形態による電源供給システムの具体的な接続構造を示す例示図である。
【図５ｂ】本発明の一実施形態による電源供給システムの具体的な接続構造を示す例示図である。
【図６】本発明の一実施形態による電源供給システムの具体例を示す第１例示図である。
【図７】本発明の一実施形態による電源供給システムの具体例を示す第２例示図である。
【図８】本発明の一実施形態による電源供給システムの具体例を示す第３例示図である。
【図９】本発明の一実施形態による電源供給システムの具体例を示す第４例示図である。
【図１０】本発明の他の実施形態による電源供給システムの構成を示す構成図である。
【図１１】本発明の他の実施形態による電源供給システムの電源盤の構成を示す構成図である。
【図１２】本発明の他の実施形態による電源供給システムの電源盤の具体的な構造構成を示す構成図である。
【図１３】本発明の他の実施形態による電源供給システムの具体例を示す第１例示図である。
【図１４】本発明の他の実施形態による電源供給システムの具体例を示す第２例示図である。
【図１５】本発明の他の実施形態による電源供給システムの具体例を示す第３例示図である。
【図１６】本発明の他の実施形態による電源供給システムの具体例を示す第４例示図である。
【発明を実施するための形態】
【００６９】
本明細書で用いられる技術用語は、単に特定の実施形態を説明するために用いられるものであり、本明細書に開示される技術の思想を限定するものではない。また、本明細書で用いられる技術用語は、本明細書において特に断らない限り、本明細書に開示される技術の属する分野における通常の知識を有する者に一般的に理解される意味で解釈されるべきであり、非常に包括的な意味で解釈されたり、非常に狭い意味で解釈されたりしてはならない。さらに、本明細書で用いられる技術用語が本明細書に開示される技術の思想を正確に表現できない誤った技術用語である場合は、当業者が正しく理解できる技術用語で代替して理解すべきである。さらに、本明細書で用いられる一般的な用語は、辞書の定義に従って、又は前後の文脈によって解釈されなければならず、非常に狭い意味で解釈されてはならない。
【００７０】
さらに、本明細書で用いられる単数の表現には、特に断らない限り、複数の表現が含まれる。本明細書において、「構成される」や「含む」などの用語は、明細書に記載された様々な構成要素又は段階の全てを必ず含むものと解釈されてはならず、そのうち一部の構成要素又は段階を含まないこともあり、さらなる構成要素又は段階をさらに含むこともあるものと解釈されるべきである。
【００７１】
以下、添付図面を参照して本発明の実施形態を詳細に説明するが、図面番号に関係なく同一又は類似の構成要素には同一の符号を付し、それについての説明は省略する。
【００７２】
また、本発明を説明するにあたり、関連する公知技術についての具体的な説明が本発明の要旨を不明にすると判断される場合は、その詳細な説明を省略する。なお、添付図面は本発明の技術思想を容易に理解できるようにするためのものにすぎず、添付図面によりその技術の思想が制限されるように解釈されてはならない。
【００７３】
以下、本発明の一実施形態による電源供給システムについて説明する。
【００７４】
前記電源供給システムは、後述する実施形態の組み合わせ又は区分された形態で実施することができる。
【００７５】
前記電源供給システムは、複数の電源モジュールが含まれる電源供給システムであってもよい。
【００７６】
前記電源供給システムは、複数のパッケージ化した電源装置を含んで電源を供給するシステムであってもよい。
【００７７】
ここで、前記電源装置は、複数の電源制御装置をパッケージ化した電源供給装置、又は電源盤であってもよい。
【００７８】
電源供給システム１０００（以下、システムという）は、図１に示すように、１つ以上の電源供給源１０から供給された電源をＤＣ電源に変換し、前記ＤＣ電源を負荷２０の駆動電源に変換し、負荷２０に供給する複数の電源盤１００、２００、３００と、１つ以上の電源供給源１０から供給された電源をＤＣ電源に変換し、複数の電源盤１００、２００、３００に接続されると、前記変換されたＤＣ電源を複数の電源盤１００、２００、３００に供給する供給盤４００と、複数の電源盤１００、２００、３００のそれぞれの電源端と供給盤４００間に配置される複数の遮断器１３０、２３０、３３０とを含む。
【００７９】
ここで、複数の電源盤１００、２００、３００は、前記ＤＣ電源を負荷２０の駆動電源に変換して負荷２０に供給し、供給盤４００は、複数の電源盤１００、２００、３００に接続されると、前記ＤＣ電源を複数の電源盤１００、２００、３００に供給する。
【００８０】
このようなシステム１０００において、複数の遮断器１３０、２３０、３３０は、複数の電源盤１００、２００、３００及び供給盤４００の１つ以上の電源供給状態によって開閉を変えて、複数の電源盤１００、２００、３００と供給盤４００間で前記ＤＣ電源を接続又は切断する。
【００８１】
すなわち、システム１０００は、図１に示すように、１つ以上の電源供給源１０から供給された電源をＤＣ電源に変換し、前記ＤＣ電源を負荷２０の駆動電源に変換し、負荷２０に供給する複数の電源盤１００、２００、３００と、複数の電源盤１００、２００、３００のそれぞれの電源端に共通に接続され、１つ以上の電源供給源１０から供給された電源をＤＣ電源に変換し、複数の電源盤１００、２００、３００に接続されると、複数の電源盤１００、２００、３００に前記ＤＣ電源を供給する供給盤４００と、複数の電源盤１００、２００、３００のそれぞれの電源端と供給盤４００の接続を断続する複数の遮断器１３０、２３０、３３０とを含み、複数の遮断器１３０、２３０、３３０が複数の電源盤１００、２００、３００及び供給盤４００の１つ以上の電源供給状態によって開閉を変えて、複数の電源盤１００、２００、３００と供給盤４００間で前記ＤＣ電源を接続又は切断する。
【００８２】
ここで、複数の電源盤１００、２００、３００のそれぞれは、図２及び図３に示すような電源供給装置１００であってもよい。
【００８３】
すなわち、電源盤１００は、図２及び図３に示すような電源供給装置の構成からなるようにしてもよく、また、システム１０００は、図２及び図３に示すような電源供給装置１００の形態の電源盤を複数含み、複数の電源盤１００、２００、３００を含むようにしてもよい。
【００８４】
電源盤１００は、複数の電源制御装置が含まれるモジュールであってもよい。
【００８５】
電源盤１００は、前記複数の電源制御装置をパッケージ化した電源装置であってもよい。
【００８６】
例えば、電源盤１００は、前記複数の電源制御装置をパッケージ化した電源盤であってもよい。
【００８７】
電源盤１００は、発電所、プラント、工場、ビル、マンションなど高電力を必要とする建物に備えられて電源を供給するパッケージ型電源盤であってもよい。
【００８８】
また、電源盤１００は、ある１つの空間に構成されるパッケージ型電源盤であってもよい。
【００８９】
電源盤１００は、前記複数の電源制御装置がパッケージ化され、負荷に電源を供給するようにしてもよい。
【００９０】
電源盤１００は、図２に示すように、１つ以上の電源供給源１０のそれぞれから供給された電源を前記ＤＣ電源に変換する１つ以上の第１電力変換装置１１０と、前記ＤＣ電源を負荷２０の駆動のための前記駆動電源に変換し、前記駆動電源を負荷２０に供給する１つ以上の第２電力変換装置１２０と、前記ＤＣ電源又は前記駆動電源の状態に応じて前記ＤＣ電源の受供給を制御する制御部１４０とを含んでもよい。
【００９１】
このように、電源盤１００は、第１電力変換装置１１０、第２電力変換装置１２０及び制御部１４０を含み、１つ以上の電源供給源１０から供給された電源を前記駆動電源に変換して負荷２０に供給する。
【００９２】
第１電力変換装置１１０、第２電力変換装置１２０及び制御部１４０を含む電源盤１００の具体的な構成は、図２及び図３に示すようにしてもよい。
【００９３】
電源盤１００に電源を供給する１つ以上の電源供給源１０は、外部から１つ以上の第１電力変換装置１１０に接続され、１つ以上の第１電力変換装置１１０のそれぞれに電源を供給するようにしてもよい。
【００９４】
１つ以上の電源供給源１０のそれぞれは、１つ以上の第１電力変換装置１１０のそれぞれに接続され、１つ以上の第１電力変換装置１１０のそれぞれに直流又は交流電源を供給するようにしてもよい。
【００９５】
１つ以上の電源供給源１０は、図２及び図３に示すように、ＡＣ電源を供給する第１交流電源１０＃１及び第２交流電源１０＃３と、ＤＣ電源を蓄えるバッテリ電源１０＃２とを含んでもよい。
【００９６】
ここで、第１交流電源１０＃１はＡＣ電源を供給する主系統電源Ｇであり、第２交流電源１０＃３はＡＣ電源を供給するバイパス系統電源Ｐであり、バッテリ電源１０＃２はＤＣ電源を供給するバッテリ電源Ｂであってもよい。
【００９７】
すなわち、１つ以上の電源供給源１０は、図４に示すように、系統電源Ｇ、バイパス電源Ｐ及びバッテリ電源Ｂを含んでもよい。
【００９８】
よって、複数の電源盤１００、２００、３００のそれぞれには、系統電源Ｇ、バイパス電源Ｐ及びバッテリ電源Ｂのそれぞれから電源が供給されることになる。
【００９９】
第１交流電源１０＃１は、系統電源Ｇであってもよい。
【０１００】
第１交流電源１０＃１は、４４０［Ｖ］のＡＣ電源を供給する系統電源Ｇであってもよい。
【０１０１】
第２交流電源１０＃３は、バイパス電源Ｐであってもよい。
【０１０２】
第２交流電源１０＃３は、４４０［Ｖ］のＡＣ電源を供給するバイパス電源Ｐであってもよい。
【０１０３】
バッテリ電源１０＃２は、ＤＣ電源を蓄え、非常時に蓄えられたＤＣ電源を供給する非常用バッテリであってもよい。
【０１０４】
バッテリ電源１０＃２は、第１交流電源１０＃１及び第２交流電源１０＃３に異常が発生すると、蓄えられたＤＣ電源を電源盤１００に供給するようにしてもよい。
【０１０５】
バッテリ電源Ｂには前記ＤＣ電源が蓄えられており、第１交流電源１０＃１及び第２交流電源１０＃３の電源供給が中断されると、前記電源供給が切り替えられて復旧される間、バッテリ電源Ｂに蓄えられた電源が複数の電源盤１００、２００、３００に供給されるようにしてもよい。
【０１０６】
バッテリ電源Ｂは、前記電源供給が中断されてから前記電源供給が切り替えられて復旧されるまで、前記蓄えられた電源を複数の電源盤１００、２００、３００に無瞬断で供給するようにしてもよい。
【０１０７】
また、１つ以上の電源供給源１０は、第１交流電源Ｇ、第２交流電源Ｐ及びバッテリ電源Ｂの電源供給が中断されると、非常発電電源を負荷２０に供給する非常用電源Ａをさらに含んでもよい。
【０１０８】
非常用電源Ａは、第１交流電源Ｇ、第２交流電源Ｐ及びバッテリ電源Ｂに異常が発生すると、非常発電電源を負荷２０に供給するようにしてもよい。
【０１０９】
非常用電源Ａは、複数の電源盤１００、２００、３００のそれぞれに電源を供給する第１交流電源Ｇ、第２交流電源Ｐ及びバッテリ電源Ｂの全てに異常が発生して電源を供給できない場合、非常用電源を負荷２０のそれぞれに供給して負荷２０の駆動を所定時間維持する電源であってもよい。
【０１１０】
例えば、非常用電源Ａは、非常用発電機を含む電源であってもよい。
【０１１１】
複数の電源盤１００、２００、３００のそれぞれには、図４に示すように、３つの電源供給源１０、すなわち系統電源Ｇ、バイパス電源Ｐ及びバッテリ電源Ｂから電源が供給され、非常用電源Ａからは系統電源Ｇ、バイパス電源Ｐ及びバッテリ電源Ｂが電源を供給できない場合にのみ電源が供給されることが好ましい。
【０１１２】
ここで、複数の電源盤１００、２００、３００のそれぞれに電源を供給する１つ以上の電源供給源１０のそれぞれは、１つの系統から複数の電源盤１００、２００、３００のそれぞれに電源を供給するようにしてもよく、分離された配電盤により分離された配電盤のそれぞれから複数の電源盤１００、２００、３００のそれぞれに電源を供給するようにしてもよい。
【０１１３】
複数の電源盤１００、２００、３００のそれぞれは、１つ以上の電源供給源１０から供給された電源を前記ＤＣ電源に変換する１つ以上の第１電力変換装置１１０、２１０、３１０と、１つ以上の第１電力変換装置１１０、２１０、３１０から供給された前記ＤＣ電源を前記駆動電源に変換して負荷２０に供給する第２電力変換装置１２０、２２０、３２０とを含んでもよい。
【０１１４】
ここで、１つ以上の第１電力変換装置１１０、２１０、３１０及び第２電力変換装置１２０、２２０、３２０は、複数からなるようにしてもよい。
【０１１５】
複数の電源盤１００、２００、３００のそれぞれは、１つ以上の電源供給源１０の状態によって、１つ以上の第１電力変換装置１１０、２１０、３１０のいずれかにより１つ以上の第２電力変換装置１２０、２２０、３２０に前記ＤＣ電源が供給されるようにしてもよい。
【０１１６】
第１電力変換装置１１０、２１０、３１０は、供給された電源をＤＣ電源に変換する装置であり、例えばコンバータであってもよい。
【０１１７】
第１電力変換装置１１０、２１０、３１０は、ＡＣ電源をＤＣ電源に変換するＡＣ／ＤＣコンバータであってもよく、ＤＣ電源をＤＣ電源に変換するＤＣ／ＤＣコンバータであってもよい。
【０１１８】
１つ以上の第１電力変換装置１１０、２１０、３１０は、ＡＣ電源をＤＣ電源に変換するＡＣ／ＤＣコンバータ及びＤＣ電源のレベルを変換するＤＣ／ＤＣコンバータの１つ以上を含んでもよい。
【０１１９】
１つ以上の第１電力変換装置１１０、２１０、３１０は、１つ以上の電源供給源１０のそれぞれに対応して、３つの変換装置１１０＃１〜＃３、２１０＃１〜＃３、３１０＃１〜＃３を含んでもよい。
【０１２０】
１つ以上の第１電力変換装置１１０、２１０、３１０は、第１交流電源１０＃１、バッテリ電源１０＃２及び第２交流電源１０＃３のそれぞれに接続され、接続された電源供給源から電源が供給される第１〜第３変換装置１１０＃１〜＃３、２１０＃１〜＃３、３１０＃１〜＃３を含んでもよい。
【０１２１】
これによれば、第１交流電源１０＃１は、第１変換装置１１０＃１、２１０＃１、３１０＃１に接続され、第１変換装置１１０＃１、２１０＃１、３１０＃１にＡＣ電源を供給し、バッテリ電源１０＃２は、第２変換装置１１０＃２、２１０＃２、３１０＃２に接続され、第２変換装置１１０＃２、２１０＃２、３１０＃２にＤＣ電源を供給し、第２交流電源１０＃３は、第３変換装置１１０＃３、２１０＃３、３１０＃３に接続され、第３変換装置１１０＃３、２１０＃３、３１０＃３にＡＣ電源を供給することになる。
【０１２２】
第１変換装置１１０＃１、２１０＃１、３１０＃１は、ＡＣ電源をＤＣ電源に変換するＡＣ／ＤＣコンバータであってもよく、また、第２変換装置１１０＃２、２１０＃２、３１０＃２は、ＤＣ電源のレベルを変換するＤＣ／ＤＣコンバータであってもよく、また、第３変換装置１１０＃３、２１０＃３、３１０＃３は、ＡＣ電源をＤＣ電源に変換するＡＣ／ＤＣコンバータであってもよい。
【０１２３】
１つ以上の第１電力変換装置１１０、２１０、３１０のそれぞれは、前段及び後段のそれぞれに接続を開閉する開閉手段を含んでもよい。
【０１２４】
前記開閉手段は、１つ以上の第１電力変換装置１１０、２１０、３１０のそれぞれの入力端及び出力端のそれぞれに備えられ、１つ以上の第１電力変換装置１１０、２１０、３１０において入出力される電源を断続するスイッチであってもよい。
【０１２５】
ここで、前記入力端に備えられる開閉手段は、過電流を検知して回路を遮断する遮断器であってもよい。
【０１２６】
より具体的には、第１交流電源１０＃１及び第２交流電源１０＃３からＡＣ電源が供給される第１変換装置１１０＃１、２１０＃１、３１０＃１及び第３変換装置１１０＃３、２１０＃３、３１０＃３の入力端には、交流気中遮断器（ACB: Air Circuit Breaker）が備えられ、バッテリ電源１０＃２からＤＣ電源が供給される第２変換装置１１０＃２、２１０＃２、３１０＃２の入力端には、直流配線用遮断器（MCCB: Molded Circuit Breaker）が備えられてもよい。
【０１２７】
前記開閉手段は、１つ以上の第１電力変換装置１１０、２１０、３１０の動作によって１つ以上の第１電力変換装置１１０、２１０、３１０の接続を開閉するようにしてもよい。
【０１２８】
例えば、１つ以上の電源供給源１０から電源供給を受けない場合、前記入力端及び前記出力端のそれぞれに備えられる開閉手段が開路され、当該変換装置の接続が分離されるようにしてもよい。
【０１２９】
１つ以上の第１電力変換装置１１０、２１０、３１０は、前記出力端が１つの電源端に接続されてもよい。
【０１３０】
すなわち、１つ以上の第１電力変換装置１１０、２１０、３１０は、前記出力端が前記電源端に共通に接続され、１つ以上の第１電力変換装置１１０、２１０、３１０で変換された前記ＤＣ電源が流れるようにしてもよい。
【０１３１】
よって、前記電源端は、１つ以上の第１電力変換装置１１０、２１０、３１０の出力端が共通に接続され、１つ以上の第１電力変換装置１１０、２１０、３１０から出力された前記ＤＣ電源が流れる電路であってもよい。
【０１３２】
前記電源端は、前記ＤＣ電路及び第２電力変換装置１２０、２２０、３２０のそれぞれの入力端に接続され、前記ＤＣ電源が前記ＤＣ電路又は第２電力変換装置１２０、２２０、３２０に送られるようにしてもよい。
【０１３３】
１つ以上の第１電力変換装置１１０、２１０、３１０で変換されて出力された前記ＤＣ電源は、第２電力変換装置１２０、２２０、３２０に送られるようにしてもよい。
【０１３４】
１つ以上の第１電力変換装置１１０、２１０、３１０は、第１〜第３変換装置１１０＃１〜＃３、２１０＃１〜＃３、３１０＃１〜＃３のいずれかが動作し、第２電力変換装置１２０、２２０、３２０に前記ＤＣ電源を供給するようにしてもよい。
【０１３５】
複数の電源盤１００、２００、３００は、第２電力変換装置１２０、２２０、３２０に前記ＤＣ電源を供給する変換装置１１０＃１〜＃３、２１０＃１〜＃３、３１０＃１〜＃３の電源供給が中断されると、変換装置１１０＃１〜＃３、２１０＃１〜＃３、３１０＃１〜＃３以外の他の変換装置により第２電力変換装置１２０、２２０、３２０に前記ＤＣ電源が供給されるようにしてもよい。
【０１３６】
１つ以上の第１電力変換装置１１０、２１０、３１０は、第２電力変換装置１２０、２２０、３２０に前記ＤＣ電源を供給する変換装置１１０＃１〜＃３、２１０＃１〜＃３、３１０＃１〜＃３の電源供給が中断されると、変換装置１１０＃１〜＃３、２１０＃１〜＃３、３１０＃１〜＃３が前記他の変換装置に切り替えられる間、バッテリ電源１０＃２から電源供給を受ける変換装置１１０＃２、２１０＃２、３１０＃２により第２電力変換装置１２０、２２０、３２０に前記ＤＣ電源を供給するようにしてもよい。
【０１３７】
ここで、変換装置１１０＃１〜＃３、２１０＃１〜＃３、３１０＃１〜＃３の電源供給が中断されるとは、変換装置１１０＃１〜＃３、２１０＃１〜＃３、３１０＃１〜＃３、変換装置１１０＃１〜＃３、２１０＃１〜＃３、３１０＃１〜＃３に接続された供給源、及び前記ＤＣ電源の定格のいずれか１つ以上において異常状態が検出されることであってもよい。
【０１３８】
例えば、第１交流電源１０＃１に接続された第１変換装置１１０＃１、２１０＃１、３１０＃１が第２電力変換装置１２０、２２０、３２０に前記ＤＣ電源を供給している間に、第１変換装置１１０＃１、２１０＃１、３１０＃１から出力される前記ＤＣ電源の定格が低下して所定基準以下になると、第１変換装置１１０＃１、２１０＃１、３１０＃１以外の他の変換装置である第３変換装置１１０＃３、２１０＃３、３１０＃３により第２電力変換装置１２０、２２０、３２０に前記ＤＣ電源が供給されるようにしてもよい。
【０１３９】
この場合、１つ以上の第１電力変換装置１１０、２１０、３１０は、第１変換装置１１０＃１、２１０＃１、３１０＃１が第３変換装置１１０＃３、２１０＃３、３１０＃３に切り替えられる間、バッテリ電源１０＃２に接続された第２変換装置１１０＃２、２１０＃２、３１０＃２により第２電力変換装置１２０、２２０、３２０に前記ＤＣ電源を供給するようにしてもよい。
【０１４０】
すなわち、バッテリ電源１０＃２に接続された第２変換装置１１０＃２、２１０＃２、３１０＃２は、第２電力変換装置１２０、２２０、３２０への前記ＤＣ電源の供給が中断されると、前記ＤＣ電源の供給が切り替えられて復旧されるまで、第２電力変換装置１２０、２２０、３２０に前記ＤＣ電源を供給するようにしてもよい。
【０１４１】
第２電力変換装置１２０、２２０、３２０は、複数からなるようにしてもよい。
【０１４２】
第２電力変換装置１２０、２２０、３２０は、供給されたＤＣ電源を前記駆動電源に変換する装置であり、例えばインバータであってもよい。
【０１４３】
第２電力変換装置１２０、２２０、３２０は、前記負荷がＡＣ電源で駆動される負荷である場合、１つ以上の第１電力変換装置１１０、２１０、３１０からのＤＣ電源をＡＣの駆動電源に変換するインバータであってもよい。
【０１４４】
第２電力変換装置１２０、２２０、３２０は、前記負荷がＤＣ電源で駆動される負荷である場合、１つ以上の第１電力変換装置１１０、２１０、３１０からのＤＣ電源をＤＣの駆動電源に変換するインバータであってもよい。
【０１４５】
第２電力変換装置１２０、２２０、３２０は、負荷２０に対応する数で備えられてもよい。
【０１４６】
負荷２０は、複数からなるようにしてもよい。
【０１４７】
第２電力変換装置１２０、２２０、３２０は、負荷２０に対応して、３つ以上のインバータ１２０＃１〜＃３、２２０＃１〜＃３、３２０＃１〜＃３を含んでもよい。
【０１４８】
第２電力変換装置１２０、２２０、３２０のそれぞれは、負荷２０のそれぞれに接続され、接続された負荷２０に前記駆動電源を供給するようにしてもよい。
【０１４９】
第２電力変換装置１２０、２２０、３２０のそれぞれは、前段に接続を開閉する開閉手段を含んでもよい。
【０１５０】
前記開閉手段は、第２電力変換装置１２０、２２０、３２０のそれぞれの入力端に備えられ、第２電力変換装置１２０、２２０、３２０に入力される電源を断続するスイッチであってもよい。
【０１５１】
ここで、前記入力端に備えられる開閉手段は、過電流を検知して回路を遮断する遮断器であってもよい。
【０１５２】
第２電力変換装置１２０、２２０、３２０で変換されて出力される前記駆動電源は、負荷２０のそれぞれに送られるようにしてもよい。
【０１５３】
ここで、負荷２０は、電動機（Ｍ）負荷を含んでもよい。
【０１５４】
複数の電源盤１００、２００、３００のそれぞれは、前記電源端が供給盤４００に接続されるようにしてもよい。
【０１５５】
複数の電源盤１００、２００、３００は、前記電源端と供給盤４００間に複数の遮断器１３０、２３０、３３０がそれぞれ配置されるようにしてもよい。
【０１５６】
複数の電源盤１００、２００、３００のそれぞれの前記電源端は、複数の遮断器１３０、２３０、３３０に接続され、複数の遮断器１３０、２３０、３３０を介して供給盤４００に接続されてもよい。
【０１５７】
供給盤４００は、システム１０００に含まれる電源盤のうち、複数の電源盤１００、２００、３００に前記ＤＣ電源を供給する補助電源盤であってもよい。
【０１５８】
供給盤４００は、複数の電源盤１００、２００、３００のそれぞれの前記電源端が共通に接続され、複数の電源盤１００、２００、３００に前記ＤＣ電源を供給する非常電源供給盤であってもよい。
【０１５９】
供給盤４００は、複数の電源盤１００、２００、３００と同様に、１つ以上の電源供給源１０の少なくとも１つから供給された電源を前記ＤＣ電源に変換するようにしてもよい。
【０１６０】
供給盤４００は、前記電源端が共通に接続され、複数の電源盤１００、２００、３００の状態によって、１つ以上の電源供給源１０の少なくとも１つから供給された電源を前記ＤＣ電源に変換し、前記ＤＣ電源を複数の電源盤１００、２００、３００に供給する電源補助供給用電源盤であってもよい。
【０１６１】
供給盤４００に電源を供給する電源供給源１０は、少なくともバッテリ電源１０＃２を含んでもよい。
【０１６２】
すなわち、供給盤４００は、少なくともバッテリ電源１０＃２から電源が供給されるようにしてもよい。
【０１６３】
供給盤４００は、第１交流電源１０＃１及び第２交流電源１０＃３からさらに電源が供給されるようにしてもよい。
【０１６４】
すなわち、供給盤４００は、複数の電源盤１００、２００、３００と同様に、複数の電源盤１００、２００、３００に電源を供給する系統電源Ｇ、バイパス電源Ｐ及びバッテリ電源Ｂのいずれか１つ以上から供給された電源を前記ＤＣ電源に変換するようにしてもよい。
【０１６５】
例えば、供給盤４００は、バッテリ電源Ｂから供給された電源を前記ＤＣ電源に変換するようにしてもよい。
【０１６６】
供給盤４００は、第１交流電源１０＃１、第２交流電源１０＃３及びバッテリ電源１０＃２のそれぞれから供給された電源を前記ＤＣ電源に変換する１つ以上の第１電力変換装置４１０を含んでもよい。
【０１６７】
すなわち、供給盤４００は、図１に示すように、１つ以上の第１電力変換装置４１０により、系統電源Ｇ、バイパス電源Ｐ及びバッテリ電源Ｂから供給された電源を前記ＤＣ電源に変換するようにしてもよい。
【０１６８】
ここで、供給盤４００に含まれる１つ以上の第１電力変換装置４１０は、前記ＤＣ電源が出力される出力端が１つの前記電源端に接続され、前記電源端が複数の電源盤１００、２００、３００のそれぞれに接続されるようにしてもよい。
【０１６９】
すなわち、供給盤４００は、複数の電源盤１００、２００、３００のそれぞれの複数の遮断器１３０、２３０、３３０に接続され、複数の電源盤１００、２００、３００のそれぞれに共通に接続され、複数の遮断器１３０、２３０、３３０のそれぞれの開閉により複数の電源盤１００、２００、３００のそれぞれとの接続が断続されるようにしてもよい。
【０１７０】
供給盤４００は、１つ以上の第１電力変換装置４１０から出力された前記ＤＣ電源を複数の遮断器１３０、２３０、３３０に送るようにしてもよい。
【０１７１】
また、供給盤４００は、１つ以上の第１電力変換装置４１０から供給された前記ＤＣ電源を供給盤４００に接続された負荷２０に供給するための駆動電源に変換し、前記駆動電源を供給盤４００に接続された負荷２０に供給する１つ以上の第２電力変換装置４２０をさらに含んでもよい。
【０１７２】
すなわち、供給盤４００は、複数の電源盤１００、２００、３００と同様に、１つ以上の第１電力変換装置４１０及び第２電力変換装置４２０を含み、１つ以上の電源供給源１０から供給された電源を前記ＤＣ電源に変換し、前記ＤＣ電源を前記駆動電源に変換して負荷２０に供給するようにしてもよい。
【０１７３】
供給盤４００は、前記ＤＣ電源を前記駆動電源に変換し、前記駆動電源を供給盤４００に接続された特定の負荷に供給するようにしてもよい。
【０１７４】
このような供給盤４００の具体例として、供給盤４００は、バッテリ電源Ｂから電源が供給され、バッテリ電源Ｂから供給された電源を前記ＤＣ電源に変換する第２変換装置４１０＃２と、第２変換装置４１０＃２から出力された前記ＤＣ電源を前記駆動電源に変換する第２電力変換装置４２０＃２とを含み、前記ＤＣ電源を複数の電源盤１００、２００、３００のそれぞれに送るか、又は前記駆動電源を負荷２０のうち、供給盤４００において電源供給が指定された特定の負荷に供給するようにしてもよい。
【０１７５】
供給盤４００は、複数の遮断器１３０、２３０、３３０を介して、複数の電源盤１００、２００、３００のそれぞれの前記電源端に接続されてもよい。
【０１７６】
複数の電源盤１００、２００、３００及び供給盤４００のそれぞれは、１つ以上の電源供給源１０のいずれかから供給された電源を前記ＤＣ電源に変換するようにしてもよい。
【０１７７】
すなわち、複数の電源盤１００、２００、３００及び供給盤４００のそれぞれは、１つ以上の電源供給源１０のいずれかから選択的に電源供給を受けるようにしてもよい。
【０１７８】
複数の電源盤１００、２００、３００及び供給盤４００のそれぞれは、予め設定された供給基準に基づいて、１つ以上の電源供給源１０のいずれかから供給された電源を前記ＤＣ電源に変換するようにしてもよい。
【０１７９】
前記供給基準は、１つ以上の電源供給源１０の電源供給優先順位に関する基準であってもよい。
【０１８０】
複数の電源盤１００、２００、３００のそれぞれは、それぞれに含まれる１つ以上の第１電力変換装置１１０、２１０、３１０及び第２電力変換装置１２０、２２０、３２０の動作を制御及び監視するようにしてもよい。
【０１８１】
複数の電源盤１００、２００、３００は、１つ以上の電源供給源１０の状態によって１つ以上の第１電力変換装置１１０、２１０、３１０のいずれかを選択し、選択した変換装置により第２電力変換装置１２０、２２０、３２０のそれぞれに前記ＤＣ電源を送るようにしてもよい。
【０１８２】
すなわち、複数の電源盤１００、２００、３００のそれぞれは、１つ以上の電源供給源１０の状態によって選択した１つの変換装置により第２電力変換装置１２０、２２０、３２０に前記ＤＣ電源を送るようにしてもよい。
【０１８３】
複数の電源盤１００、２００、３００のそれぞれは、それぞれに含まれる１つ以上の第１電力変換装置１１０、２１０、３１０及び第２電力変換装置１２０、２２０、３２０の動作を制御及び監視した結果に基づいて、第１〜第３遮断器１３０、２３０、３３０のそれぞれの開閉を制御するようにしてもよい。
【０１８４】
また、供給盤４００は、１つ以上の電源供給源１０の状態によって１つ以上の第１電力変換装置４１０のいずれかを選択し、選択した変換装置により第２電力変換装置４２０に前記ＤＣ電源を送るようにしてもよい。
【０１８５】
複数の電源盤１００、２００、３００のそれぞれは、それぞれに含まれる１つ以上の第１電力変換装置１１０、２１０、３１０及び第２電力変換装置１２０、２２０、３２０の動作を制御及び監視し、前記ＤＣ電源及び前記駆動電源の状態を検出するようにしてもよい。
【０１８６】
複数の電源盤１００、２００、３００は、１つ以上の第２電力変換装置１２０、２２０、３２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０に前記ＤＣ電源を送るようにしてもよい。
【０１８７】
すなわち、複数の電源盤１００、２００、３００のそれぞれは、前記ＤＣ電源を送っている変換装置及び前記変換装置に対応する電源供給源のいずれか１つ以上に異常が発生すると、前記変換装置以外の他の変換装置に切り替え、切り替えられた変換装置により第２電力変換装置１２０、２２０、３２０に前記ＤＣ電源を送るようにしてもよい。
【０１８８】
複数の電源盤１００、２００、３００は、第２電力変換装置１２０、２２０、３２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０に前記ＤＣ電源が送られるように、電源供給中の電源供給源及び変換装置を切り替えてもよい。
【０１８９】
供給盤４００は、１つ以上の第１電力変換装置４１０の動作を制御及び監視した結果に基づいて、複数の電源盤１００、２００、３００への前記ＤＣ電源の供給を制御するようにしてもよい。
【０１９０】
供給盤４００は、１つ以上の第１電力変換装置４１０の動作を制御及び監視し、前記ＤＣ電源の状態を検出するようにしてもよい。
【０１９１】
供給盤４００は、複数の電源盤１００、２００、３００に前記ＤＣ電源を送っている変換装置及び前記変換装置に対応する電源供給源のいずれか１つ以上に異常が発生すると、前記変換装置以外の他の変換装置により複数の電源盤１００、２００、３００に前記ＤＣ電源を送るようにしてもよい。
【０１９２】
すなわち、供給盤４００は、前記ＤＣ電源を送っている変換装置及び前記変換装置に対応する電源供給源のいずれか１つ以上に異常が発生すると、前記変換装置以外の他の変換装置に切り替え、切り替えられた変換装置により複数の電源盤１００、２００、３００に前記ＤＣ電源を送るようにしてもよい。
【０１９３】
供給盤４００は、複数の電源盤１００、２００、３００に前記ＤＣ電源を送っている変換装置及び前記変換装置に対応する電源供給源のいずれか１つ以上に異常が発生すると、前記変換装置以外の他の変換装置により複数の電源盤１００、２００、３００に前記ＤＣ電源が送られるように、電源供給中の電源供給源及びコンバータを切り替えてもよい。
【０１９４】
前記電源端及び供給盤４００に接続される複数の遮断器１３０、２３０、３３０は、ＤＣ電源を遮断するＤＣ遮断器であってもよい。
【０１９５】
複数の遮断器１３０、２３０、３３０は、１つ以上の第１電力変換装置１１０、２１０、３１０のそれぞれの出力端が接続される前記電源端と、前記電源端に接続される供給盤４００間に備えられてもよい。
【０１９６】
すなわち、複数の遮断器１３０、２３０、３３０は、複数の電源盤１００、２００、３００の前記電源端と供給盤４００が接続される電路に備えられ、複数の電源盤１００、２００、３００と供給盤４００の接続を断続するようにしてもよい。
【０１９７】
これによれば、複数の電源盤１００、２００、３００は、前記電源端を介して供給盤４００に接続され、複数の遮断器１３０、２３０、３３０の開閉により供給盤４００との接続を断続することができる。
【０１９８】
複数の遮断器１３０、２３０、３３０は、複数の電源盤１００、２００、３００のそれぞれに備えられてもよい。
【０１９９】
また、複数の遮断器１３０、２３０、３３０は、供給盤４００に備えられてもよい。
【０２００】
さらに、複数の遮断器１３０、２３０、３３０は、複数の電源盤１００、２００、３００及び供給盤４００から分離された別個の構成からなるようにしてもよい。
【０２０１】
複数の電源盤１００、２００、３００と供給盤４００が接続される電路は、ＤＣ電源が流れるＤＣ電路であってもよい。
【０２０２】
前記ＤＣ電路は、複数の電源盤１００、２００、３００と供給盤４００が接続される電路であり、複数の電源盤１００、２００、３００及び供給盤４００間で前記ＤＣ電源が送られる電路であってもよい。
【０２０３】
前記ＤＣ電路は、１つないし２つの変換装置から供給されるＤＣ電源の大きさの定格であることが好ましい。
【０２０４】
すなわち、前記ＤＣ電路の定格は、２つの変換装置から供給されるＤＣ電源が送られる定格であってもよい。
【０２０５】
前記ＤＣ電路は、複数の遮断器１３０、２３０、３３０の開閉により前記ＤＣ電源が流れるようにしてもよい。
【０２０６】
前記電源端と前記ＤＣ電路間に備えられて前記電源端と前記ＤＣ電路の接続を断続する複数の遮断器１３０、２３０、３３０は、ＤＣ専用配線用遮断器（ＭＣＣＢ）であってもよい。
【０２０７】
複数の遮断器１３０、２３０、３３０は、複数の電源盤１００、２００、３００及び供給盤４００の１つ以上の電源供給状態によって開閉を変えて、前記電源端及び供給盤４００間で前記ＤＣ電源を接続又は切断するようにしてもよい。
【０２０８】
複数の遮断器１３０、２３０、３３０は、複数の電源盤１００、２００、３００及び供給盤４００の前記ＤＣ電源、前記駆動電源、１つ以上の第１電力変換装置１１０、２１０、３１０、４１０、及び負荷２０の少なくとも１つの状態によって開閉を変えて、前記電源端及び供給盤４００間で前記ＤＣ電源を接続又は切断するようにしてもよい。
【０２０９】
ここで、前記少なくとも１つの状態は、前記ＤＣ電源が初期状態から変動した場合、前記駆動電源が初期状態から変動した場合、１つ以上の第１電力変換装置１１０、２１０、３１０、４１０の電源供給状態が変動した場合、及び負荷２０の駆動状態が変動した場合の１つ以上であってもよい。
【０２１０】
例えば、前記少なくとも１つの状態は、前記ＤＣ電源又は前記駆動電源が基準定格以下となった場合、１つ以上の第１電力変換装置１１０、２１０、３１０、４１０に故障／事故が発生して電源供給状態が変動した場合、又は負荷２０に供給される前記駆動電源が低下して負荷２０の駆動状態が変動した場合であってもよい。
【０２１１】
複数の遮断器１３０、２３０、３３０は、平時に開路され、動作時に閉路されることにより、前記電源端及び供給盤４００の接続を断続するようにしてもよい。
【０２１２】
よって、複数の電源盤１００、２００、３００のそれぞれは、複数の遮断器１３０、２３０、３３０のそれぞれの開閉により供給盤４００に接続される。
【０２１３】
複数の遮断器１３０、２３０、３３０は、複数の電源盤１００、２００、３００と供給盤４００間で前記ＤＣ電源を接続する場合に閉路され、複数の電源盤１００、２００、３００間で前記ＤＣ電源を切断する場合に開路されるようにしてもよい。
【０２１４】
複数の遮断器１３０、２３０、３３０は、複数の電源盤１００、２００、３００の１つ以上の電源供給が中断されると、前記電源供給が中断された電源盤の電源端に接続された遮断器が閉路され、前記電源供給が中断された電源盤を供給盤４００に接続し、供給盤４００から前記電源供給が中断された電源盤に前記ＤＣ電源が供給されるようにしてもよい。
【０２１５】
この場合、前記電源供給が中断された電源盤は、前記電源供給が中断されてから供給盤４００から導通した前記ＤＣ電源が供給されるまで、バッテリ電源Ｂに接続された変換装置から前記ＤＣ電源が供給されるようにしてもよい。
【０２１６】
ここで、前記電源供給が中断されるとは、複数の電源盤１００、２００、３００に電源を供給する１つ以上の電源供給源１０、複数の電源盤１００、２００、３００の前記ＤＣ電源、前記駆動電源、１つ以上の第１電力変換装置１１０、２１０、３１０、４１０、及び負荷２０の少なくとも１つの状態が変動し、負荷２０への前記駆動電源の供給に異常が発生することであってもよい。
【０２１７】
例えば、前記電源供給が中断されるとは、第１交流電源１０＃１及び第２交流電源１０＃３の電源供給が中断されること、第１交流電源１０＃１及び第２交流電源１０＃３から電源供給を受ける１つ以上の第１電力変換装置１１０、２１０、３１０の動作が中断されること、前記ＤＣ電源が初期状態から変動すること、前記駆動電源が初期状態から変動すること、及び負荷２０の駆動状態が変動することの１つ以上であってもよい。
【０２１８】
このようなシステム１０００は、複数の電源盤１００、２００、３００、供給盤４００及び複数の遮断器１３０、２３０、３３０の少なくとも１つの状態を監視し、監視結果に基づいて複数の電源盤１００、２００、３００、供給盤４００及び複数の遮断器１３０、２３０、３３０の少なくとも１つを制御する制御装置６００をさらに含んでもよい。
【０２１９】
すなわち、複数の電源盤１００、２００、３００、供給盤４００及び複数の遮断器１３０、２３０、３３０は、制御装置６００により制御されるようにしてもよい。
【０２２０】
複数の電源盤１００、２００、３００及び供給盤４００のそれぞれは、制御装置６００と通信を行い、制御装置６００との通信結果に基づいて動作するようにしてもよい。
【０２２１】
例えば、複数の電源盤１００、２００、３００及び供給盤４００のそれぞれは、制御装置６００から制御命令を受け取り、前記制御命令に基づいて動作するか、又は制御装置６００に状態情報を送信するようにしてもよい。
【０２２２】
複数の電源盤１００、２００、３００及び供給盤４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、制御装置６００に複数の遮断器１３０、２３０、３３０のそれぞれの開閉制御を要求するようにしてもよい。
【０２２３】
複数の電源盤１００、２００、３００及び供給盤４００のそれぞれは、それぞれに含まれる１つ以上の第１電力変換装置１１０、２１０、３１０、４１０及び第２電力変換装置１２０、２２０、３２０、４２０の動作を制御及び監視した結果を制御装置６００に送信するようにしてもよい。
【０２２４】
複数の電源盤１００、２００、３００及び供給盤４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出した結果を制御装置６００に送信するようにしてもよい。
【０２２５】
ここで、複数の電源盤１００、２００、３００及び供給盤４００のそれぞれは、１つ以上の第１電力変換装置１１０、２１０、３１０、４１０及び第２電力変換装置１２０、２２０、３２０、４２０を制御し、１つ以上の電源供給源１０、１つ以上の第１電力変換装置１１０、２１０、３１０、４１０、前記ＤＣ電源、前記駆動電源、及び負荷２０の少なくとも１つの異常状態を監視する制御部１４０、２４０、３４０、４４０をさらに含んでもよい。
【０２２６】
制御部１４０、２４０、３４０、４４０は、複数の電源盤１００、２００、３００及び供給盤４００のそれぞれの中央制御装置であってもよい。
【０２２７】
制御部１４０、２４０、３４０、４４０は、複数の電源盤１００、２００、３００及び供給盤４００の制御のための複数の制御手段を含んでもよい。
【０２２８】
また、制御部１４０、２４０、３４０、４４０は、複数の電源盤１００、２００、３００及び供給盤４００の機能実行のための複数の電子機器をさらに含んでもよい。
【０２２９】
例えば、制御部１４０、２４０、３４０、４４０は、複数の電源盤１００、２００、３００及び供給盤４００の機能実行及び制御のためのソフトウェア／アプリケーション／プログラムが格納される格納手段、前記格納手段が含まれる専用制御手段、通信手段、表示手段及び入力手段の１つ以上を含んでもよい。
【０２３０】
制御部１４０、２４０、３４０、４４０は、制御装置６００により制御されるようにしてもよい。
【０２３１】
制御部１４０、２４０、３４０、４４０は、１つ以上の第１電力変換装置１１０、２１０、３１０、４１０及び第２電力変換装置１２０、２２０、３２０、４２０を制御するＰＬＣ（Programmable Logic Controller）を含んでもよい。
【０２３２】
制御部１４０、２４０、３４０、４４０は、１つ以上の第１電力変換装置１１０、２１０、３１０、４１０及び第２電力変換装置１２０、２２０、３２０、４２０の状態を監視し、監視結果に基づいて１つ以上の第１電力変換装置１１０、２１０、３１０、４１０及び第２電力変換装置１２０、２２０、３２０、４２０の動作を制御するようにしてもよい。
【０２３３】
また、制御部１４０、２４０、３４０、４４０は、１つ以上の電源供給源１０及び負荷２０の状態に基づいて、１つ以上の第１電力変換装置１１０、２１０、３１０、４１０及び第２電力変換装置１２０、２２０、３２０、４２０の動作を制御するようにしてもよい。
【０２３４】
制御部１４０、２４０、３４０、４４０は、１つ以上の第１電力変換装置１１０、２１０、３１０、４１０のそれぞれの動作を制御して、前記ＤＣ電源の変換及び供給を制御してもよい。
【０２３５】
また、制御部１４０、２４０、３４０、４４０は、１つ以上の第１電力変換装置１１０、２１０、３１０、４１０に含まれる開閉手段のそれぞれの開閉を制御してもよい。
【０２３６】
制御部１４０、２４０、３４０、４４０は、第２電力変換装置１２０、２２０、３２０、４２０のそれぞれの動作を制御して、前記駆動電源の変換及び供給を制御してもよい。
【０２３７】
また、制御部１４０、２４０、３４０、４４０は、第２電力変換装置１２０、２２０、３２０、４２０に含まれる開閉手段のそれぞれの開閉を制御してもよい。
【０２３８】
さらに、制御部１４０、２４０、３４０、４４０は、外部の通信装置及び制御装置６００の少なくとも１つと通信を行い、通信実行結果に基づいて、１つ以上の第１電力変換装置１１０、２１０、３１０、４１０及び第２電力変換装置１２０、２２０、３２０、４２０の動作を制御するようにしてもよい。
【０２３９】
例えば、制御部１４０、２４０、３４０、４４０は、制御装置６００から１つ以上の第１電力変換装置１１０、２１０、３１０、４１０及び第２電力変換装置１２０、２２０、３２０、４２０の少なくとも１つの動作制御に関する制御命令を受け取り、前記制御命令に基づいて１つ以上の第１電力変換装置１１０、２１０、３１０、４１０及び第２電力変換装置１２０、２２０、３２０、４２０の少なくとも１つの動作を制御してもよい。
【０２４０】
制御部１４０、２４０、３４０、４４０は、１つ以上の電源供給源１０のいずれかから供給された電源が前記ＤＣ電源に変換されるように制御してもよい。
【０２４１】
すなわち、制御部１４０、２４０、３４０、４４０は、１つ以上の電源供給源１０のいずれかから選択的に電源が供給されるように制御してもよい。
【０２４２】
制御部１４０、２４０、３４０、４４０は、予め設定された供給基準に基づいて、１つ以上の電源供給源１０のいずれかから供給された電源が前記ＤＣ電源に変換されるように制御してもよい。
【０２４３】
前記供給基準は、１つ以上の電源供給源１０の電源供給優先順位に関する基準であってもよい。
【０２４４】
例えば、前記電源供給優先順位は、第１交流電源１０＃１、第２交流電源１０＃３、バッテリ電源１０＃２の順に設定されてもよい。
【０２４５】
前記供給基準が前記電源供給優先順位に関する基準である場合、制御部１４０、２４０、３４０、４４０は、第１交流電源１０＃１、第２交流電源１０＃３、バッテリ電源１０＃２の順に電源を供給するように制御してもよい。
【０２４６】
制御部１４０、２４０、３４０、４４０は、第１交流電源１０＃１から電源が供給される場合、第１交流電源１０＃１に接続された第１変換装置１１０＃１、２１０＃１、３１０＃１、４１０＃１の動作を制御するようにしてもよい。
【０２４７】
この場合、制御部１４０、２４０、３４０、４４０は、第１変換装置１１０＃１、２１０＃１、３１０＃１、４１０＃１の開閉手段を閉路し、第２変換装置１１０＃２、２１０＃２、３１０＃２、４１０＃２及び第３変換装置１１０＃３、２１０＃３、３１０＃３、４１０＃３の開閉手段を開路することにより、第１変換装置１１０＃１、２１０＃１、３１０＃１、４１０＃１を接続し、第２変換装置１１０＃２、２１０＃２、３１０＃２、４１０＃２及び第３変換装置１１０＃３、２１０＃３、３１０＃３、４１０＃３を分離するようにしてもよい。
【０２４８】
制御部１４０、２４０、３４０、４４０は、第２交流電源１０＃３から電源が供給される場合、第２交流電源１０＃３に接続された第３変換装置１１０＃３、２１０＃３、３１０＃３、４１０＃３の動作を制御するようにしてもよい。
【０２４９】
この場合、制御部１４０、２４０、３４０、４４０は、第３変換装置１１０＃３、２１０＃３、３１０＃３、４１０＃３の開閉手段を閉路し、第１変換装置１１０＃１、２１０＃１、３１０＃１、４１０＃１及び第２変換装置１１０＃２、２１０＃２、３１０＃２、４１０＃２の開閉手段を開路することにより、第３変換装置１１０＃３、２１０＃３、３１０＃３、４１０＃３を接続し、第１変換装置１１０＃１、２１０＃１、３１０＃１、４１０＃１及び第２変換装置１１０＃２、２１０＃２、３１０＃２、４１０＃２を分離するようにしてもよい。
【０２５０】
制御部１４０、２４０、３４０、４４０は、バッテリ電源１０＃２から電源が供給される場合、バッテリ電源１０＃２に接続された第２変換装置１１０＃２、２１０＃２、３１０＃２、４１０＃２の動作を制御するようにしてもよい。
【０２５１】
この場合、制御部１４０、２４０、３４０、４４０は、第２変換装置１１０＃２、２１０＃２、３１０＃２、４１０＃２の開閉手段を閉路し、第１変換装置１１０＃１、２１０＃１、３１０＃１、４１０＃１及び第３変換装置１１０＃３、２１０＃３、３１０＃３、４１０＃３の開閉手段を開路することにより、第２変換装置１１０＃２、２１０＃２、３１０＃２、４１０＃２を接続し、第１変換装置１１０＃１、２１０＃１、３１０＃１、４１０＃１及び第３変換装置１１０＃３、２１０＃３、３１０＃３、４１０＃３を分離するようにしてもよい。
【０２５２】
制御部１４０、２４０、３４０、４４０は、１つ以上の電源供給源１０の状態によって１つ以上の第１電力変換装置１１０、２１０、３１０、４１０のいずれかを選択し、第２電力変換装置１２０、２２０、３２０、４２０に前記ＤＣ電源を送るように制御してもよい。
【０２５３】
すなわち、制御部１４０、２４０、３４０、４４０は、１つ以上の第１電力変換装置１１０、２１０、３１０、４１０から選択した変換装置により、供給された電源を前記ＤＣ電源に変換して第２電力変換装置１２０に送るように制御してもよい。
【０２５４】
例えば、１つ以上の電源供給源１０のうち、第１交流電源１０＃１及び第２交流電源１０＃３に異常が発生すると、バッテリ電源１０＃２に接続された第２変換装置１１０＃２、２１０＃２、３１０＃２、４１０＃２を選択し、第２変換装置１１０＃２、２１０＃２、３１０＃２、４１０＃２がバッテリ電源１０＃２から電源供給を受けて前記ＤＣ電源に変換し、前記ＤＣ電源を第２電力変換装置１２０、２２０、３２０、４２０のそれぞれに送るように制御してもよい。
【０２５５】
制御部１４０、２４０、３４０、４４０は、第２電力変換装置１２０、２２０、３２０、４２０に前記ＤＣ電源を送っている変換装置１１０、２１０、３１０、４１０及び変換装置１１０、２１０、３１０、４１０に対応する電源供給源１０のいずれか１つ以上に異常が発生すると、変換装置１１０、２１０、３１０、４１０以外の他の変換装置１１０、２１０、３１０、４１０により第２電力変換装置１２０、２２０、３２０、４２０に前記ＤＣ電源を送るように制御してもよい。
【０２５６】
制御部１４０、２４０、３４０、４４０は、第２電力変換装置１２０、２２０、３２０、４２０に前記ＤＣ電源を送っている変換装置１１０、２１０、３１０、４１０及び変換装置１１０、２１０、３１０、４１０に対応する電源供給源１０のいずれか１つ以上に異常が発生すると、変換装置１１０、２１０、３１０、４１０以外の他の変換装置１１０、２１０、３１０、４１０により第２電力変換装置１２０、２２０、３２０、４２０に前記ＤＣ電源が送られるように、電源供給中の電源供給源１０及び変換装置１１０、２１０、３１０、４１０を切り替えてもよい。
【０２５７】
例えば、制御部１４０、２４０、３４０、４４０は、第１変換装置１１０＃１、２１０＃１、３１０＃１、４１０＃１が第１交流電源１０＃１から供給された電源を前記ＤＣ電源に変換している間に、第１変換装置１１０＃１、２１０＃１、３１０＃１、４１０＃１が故障したり、第１交流電源１０＃１にシャットダウンが発生すると、第３変換装置１１０＃３、２１０＃３、３１０＃３、４１０＃３が第２交流電源１０＃３から供給された電源を前記ＤＣ電源に変換して前記ＤＣ電源を第２電力変換装置１２０、２２０、３２０、４２０に送るように、電源供給中の第１交流電源１０＃１を第２交流電源１０＃３に切り替え、第１変換装置１１０＃１、２１０＃１、３１０＃１、４１０＃１を第３変換装置１１０＃３、２１０＃３、３１０＃３、４１０＃３に切り替えてもよい。
【０２５８】
このように１つ以上の第１電力変換装置１１０、２１０、３１０、４１０及び第２電力変換装置１２０、２２０、３２０、４２０を制御する制御部１４０、２４０、３４０、４４０は、前記ＤＣ電源又は前記駆動電源の状態によって前記ＤＣ電源の受供給を制御装置６００に要求するようにしてもよい。
【０２５９】
例えば、前記駆動電源の大きさが負荷２０の必要とする大きさより小さい場合、又は前記ＤＣ電源が不足した場合は、複数の遮断器１３０、２３０、３３０を閉路して供給盤４００から前記ＤＣ電源が供給されるように、制御装置６００に要求してもよい。
【０２６０】
それとは逆に、１つ以上の第１電力変換装置１１０、２１０、３１０、４１０又は第２電力変換装置１２０、２２０、３２０、４２０に故障が発生して前記電源端に事故電流が流れたり、１つ以上の電源供給源１０又は負荷２０に異常が発生して前記電源端に事故電流が流れた場合は、複数の遮断器１３０、２３０、３３０を開路して前記事故電流が複数の電源盤１００、２００、３００又は供給盤４００に供給されることを防止するように、制御装置６００に要求してもよい。
【０２６１】
制御部１４０、２４０、３４０、４４０は、１つ以上の電源供給源１０に異常が発生すると、複数の遮断器１３０、２３０、３３０を閉路し、前記電源端に接続された他の電源盤１００、２００、３００又は供給盤４００から前記ＤＣ電源が供給されるように、制御装置６００に制御を要求してもよい。
【０２６２】
制御装置６００は、複数の電源盤１００、２００、３００及び供給盤４００のそれぞれと通信を行い、複数の電源盤１００、２００、３００及び供給盤４００のそれぞれから受信した状態情報に基づいて、複数の電源盤１００、２００、３００及び供給盤４００のそれぞれを制御してもよい。
【０２６３】
例えば、複数の電源盤１００、２００、３００及び供給盤４００のそれぞれから受信した前記ＤＣ電源及び前記駆動電源の状態情報に基づいて、複数の電源盤１００、２００、３００及び供給盤４００のそれぞれの前記ＤＣ電源の変換及び供給と、複数の電源盤１００、２００、３００のそれぞれの前記駆動電源の変換及び供給を制御してもよい。
【０２６４】
制御装置６００は、複数の電源盤１００、２００、３００及び供給盤４００のそれぞれと通信を行い、複数の電源盤１００、２００、３００及び供給盤４００のそれぞれから受信した状態情報に基づいて、複数の電源盤１００、２００、３００及び供給盤４００のそれぞれの前記駆動電源の変換及び供給を制御するか、又は複数の電源盤１００、２００、３００のそれぞれに含まれる複数の遮断器１３０、２３０、３３０を制御してもよい。
【０２６５】
また、制御装置６００は、１つ以上の電源供給源１０及び負荷２０の状態を検知するか、又は外部の通信手段から１つ以上の電源供給源１０及び負荷２０の状態に関する情報を受信し、１つ以上の電源供給源１０及び負荷２０の状態に基づいて、複数の電源盤１００、２００、３００及び供給盤４００のそれぞれの前記駆動電源の変換及び供給を制御するか、又は複数の電源盤１００、２００、３００のそれぞれに含まれる複数の遮断器１３０、２３０、３３０を制御してもよい。
【０２６６】
この場合、制御装置６００が複数の電源盤１００、２００、３００及び供給盤４００のそれぞれの前記駆動電源の変換及び供給の制御、又は複数の電源盤１００、２００、３００のそれぞれに含まれる複数の遮断器１３０、２３０、３３０の制御に関する制御命令を、複数の電源盤１００、２００、３００及び供給盤４００のそれぞれに送り、複数の電源盤１００、２００、３００及び供給盤４００のそれぞれに含まれる制御部１４０、２４０、３４０、４４０により前記制御命令に基づいた制御が行われる。
【０２６７】
例えば、複数の電源盤１００、２００、３００及び供給盤４００に電源を供給している系統電源Ｇ全体に異常が発生すると、系統電源Ｇからの電源供給を遮断して他の供給源に切り替えるように、複数の遮断器１３０、２３０、３３０を開路し、系統電源Ｇを除く電源から電源供給を受けて前記ＤＣ電源に変換して供給するように制御する制御命令を複数の電源盤１００、２００、３００及び供給盤４００のそれぞれに含まれる制御部１４０、２４０、３４０、４４０に送り、複数の遮断器１３０、２３０、３３０のそれぞれを開路し、バイパス電源Ｐ又はバッテリ電源Ｂから電源供給を受けて前記ＤＣ電源に変換して供給するように制御してもよい。
【０２６８】
制御装置６００は、複数の電源盤１００、２００、３００のいずれか１つ以上に異常が発生すると、前記異常が発生した電源盤の遮断器１３０、２３０、３３０を閉路し、供給盤４００から前記異常が発生した電源盤に前記ＤＣ電源が供給されるように制御してもよい。
【０２６９】
例えば、複数の電源盤１００、２００、３００のうち第１電源盤１００の変換装置１１０に故障が発生すると、前記ＤＣ電路を介して供給盤４００のいずれかの変換装置４１０で変換されたＤＣ電源を第１電源盤１００の第２電力変換装置１２０に供給するように、第１電源盤１００の第１遮断器１３０を閉路し、第１電源盤１００の１つ以上の第１電力変換装置１１０、２１０、３１０を遮断し、前記ＤＣ電路を介して供給盤４００の１つ以上の変換装置４１０のいずれかで変換された前記ＤＣ電源を第１電源盤１００の第２電力変換装置１２０に供給するように制御する制御命令を第１電源盤１００及び供給盤４００のそれぞれに送り、第１電源盤１００の第１遮断器１３０を閉路し、前記ＤＣ電路を介して、供給盤４００の１つ以上の変換装置４１０のいずれかが前記ＤＣ電源を第１電源盤１００の第２電力変換装置１２０に供給するように制御してもよい。
【０２７０】
すなわち、供給盤４００は、複数の電源盤１００、２００、３００に異常が発生すると、前記ＤＣ電路を介して、前記異常が発生した電源盤の負荷２０に前記ＤＣ電源を供給するようにしてもよい。
【０２７１】
供給盤４００は、前記異常が発生した電源盤に前記ＤＣ電源を供給する場合、１つ以上の電源供給源１０の状態によって前記ＤＣ電源への変換を行う１つ以上の変換装置４１０のいずれかを選択し、選択した変換装置４１０により前記ＤＣ電路に前記ＤＣ電源を送るようにしてもよい。
【０２７２】
すなわち、供給盤４００は、前記異常が発生した電源盤に前記ＤＣ電源を供給する場合、１つ以上の電源供給源１０の状態によって選択した１つの変換装置４１０により前記ＤＣ電路に前記ＤＣ電源を送り、前記異常が発生した電源盤に前記ＤＣ電源を供給するようにしてもよい。
【０２７３】
例えば、供給盤４００に電源を供給する１つ以上の電源供給源１０のうち系統電源Ｇ及びバイパス電源Ｐの定格が基準定格より低い場合、バッテリ電源Ｂにより前記ＤＣ電源を供給するようにバッテリ電源Ｂに対応する第２変換装置４１０＃２を選択し、選択した第２変換装置４１０＃２によりバッテリ電源Ｂから供給された電源を前記ＤＣ電源に変換して前記ＤＣ電路に送るようにしてもよい。
【０２７４】
制御装置６００は、供給盤４００に異常が発生すると、前記異常が発生した電源盤に最も隣接する電源盤の遮断器を閉路し、前記ＤＣ電路を介して、前記隣接する電源盤から前記異常が発生した電源盤に前記ＤＣ電源が供給されるように制御してもよい。
【０２７５】
すなわち、前記異常が発生した電源盤に前記ＤＣ電源を供給する供給盤４００に異常が発生し、供給盤４００から前記異常が発生した電源盤に前記ＤＣ電源を供給できない場合、制御装置６００は、前記異常が発生した電源盤及び当該電源盤に最も隣接する電源盤の遮断器１３０、２３０、３３０を閉路し、前記ＤＣ電路を介して、前記隣接する電源盤から前記異常が発生した電源盤に前記ＤＣ電源が供給されるように制御してもよい。
【０２７６】
例えば、複数の電源盤１００、２００、３００のうち第１電源盤１００の変換装置１１０及び供給盤４００に故障が発生すると、前記ＤＣ電路を介して第１電源盤１００に最も隣接する第２電源盤２００のいずれかの変換装置２１０で変換されたＤＣ電源を第１電源盤１００の第２電力変換装置１２０に供給するように、第１電源盤１００及び第２電源盤２００のそれぞれの遮断器１３０、２３０を閉路し、第１電源盤１００の１つ以上の第１電力変換装置１１０、２１０、３１０を遮断し、前記ＤＣ電路を介して第２電源盤２００の複数の変換装置２１０のいずれかで変換された前記ＤＣ電源を第１電源盤１００の第２電力変換装置１２０に供給するように制御する制御命令を第１電源盤１００及び第２電源盤２００のそれぞれに送り、第１電源盤１００及び第２電源盤２００のそれぞれの遮断器１３０、２３０を閉路し、前記ＤＣ電路を介して、第２電源盤２００の複数の変換装置２１０のいずれかが前記ＤＣ電源を第１電源盤１００の第２電力変換装置１２０に供給するように制御してもよい。
【０２７７】
制御装置６００は、前記異常が発生した電源盤が複数の場合、前記異常が発生した電源盤のそれぞれの異常状態によって供給盤４００及び前記異常が発生した電源盤に最も隣接する電源盤の１つ以上の遮断器１３０、２３０、３３０を閉路し、供給盤４００及び前記隣接する電源盤の少なくとも１つから前記異常が発生した電源盤のそれぞれに前記ＤＣ電源が供給されるように制御してもよい。
【０２７８】
すなわち、制御装置６００は、前記異常が発生した電源盤が複数の場合、前記異常が発生した電源盤のそれぞれの異常状態によって供給盤４００及び前記隣接する電源盤の少なくとも１つから前記異常が発生した電源盤のそれぞれに前記ＤＣ電源が供給されるように制御してもよい。
【０２７９】
例えば、第１電源盤１００において１つ以上の第１電力変換装置１１０、２１０、３１０の全てに故障が発生し、第２電源盤２００において複数のインバータ２２０の一部が一時的に動作を中断した場合、制御装置６００は、第１電源盤１００の異常状態が第２電源盤２００の異常状態より深刻であると判断し、供給盤４００により第１電源盤１００の運転を復旧し、第２電源盤２００に隣接する第３電源盤３００により第２電源盤２００の運転を維持するために、供給盤４００により第１電源盤１００に前記ＤＣ電源が供給されるように第１遮断器１３０を閉路制御し、第３電源盤３００により第２電源盤２００に前記ＤＣ電源が供給されるように第２及び第３遮断器２３０、３３０を閉路制御してもよい。
【０２８０】
このように、複数の電源盤１００、２００、３００のいずれか１つ以上に異常が発生すると、供給盤４００から前記ＤＣ電源が供給されるように制御することにより、供給盤４００が複数の電源盤１００、２００、３００のそれぞれに対してＵＰＳ機能を実行することができる。
【０２８１】
すなわち、システム１０００は、複数の電源盤１００、２００、３００のそれぞれが供給盤４００に共通に接続されることにより、供給盤４００から複数の電源盤１００、２００、３００のそれぞれに前記ＤＣ電源が供給され、供給盤４００が複数の電源盤１００、２００、３００のそれぞれに対してＵＰＳ機能を実行することができる。
【０２８２】
よって、システム１０００においては、１つ以上の電源供給源１０、複数の電源盤１００、２００、３００及び負荷２０に予期せぬ異常が発生した場合も、負荷２０への前記駆動電源の供給を維持し続けることができ、負荷２０の運転を中断することなく維持することができ、異常発生に対処して適切かつ能動的に電源供給を行うことができ、異常発生の種類及び程度に関係なく負荷２０の運転及びシステム１０００の制御を安定して行うことができる。
【０２８３】
このように、システム１０００において複数の電源盤１００、２００、３００に前記ＤＣ電源を供給する供給盤４００は、図４に示すように、供給盤４００から複数の電源盤１００、２００、３００のそれぞれに前記ＤＣ電源を供給できるように、複数の電源盤１００、２００、３００が供給盤４００に枝状に接続されることにより、複数の電源盤１００、２００、３００のそれぞれに前記ＤＣ電源が供給される。
【０２８４】
ここで、供給盤４００が第１電源盤１００に電源を供給する場合、第１電源盤１００に含まれる第１遮断器１３０を閉路し、第１電源盤１００が供給盤４００に接続されるようにし、第２電源盤２００に電源を供給する場合、第２電源盤２００に含まれる第２遮断器２３０を閉路し、第２電源盤２００が供給盤４００に接続されるようにし、第３電源盤３００に電源を供給する場合、第３電源盤３００に含まれる第３遮断器３３０を閉路し、第３電源盤３００が供給盤４００に接続されるようにすることにより、供給盤４００が複数の電源盤１００、２００、３００のそれぞれに前記ＤＣ電源を供給するようにしてもよい。
【０２８５】
このようにシステム１０００において複数の電源盤１００、２００、３００に前記ＤＣ電源を供給する供給盤４００は、複数からなるようにしてもよい。
【０２８６】
すなわち、システム１０００は、複数の供給盤４００を含んでもよい。
【０２８７】
システム１０００は、複数の供給盤４００を含み、複数の供給盤４００毎にそれぞれ複数の電源盤１００、２００、３００のうち前記ＤＣ電源を供給する供給対象電源盤が予め指定され、前記予め指定された供給対象電源盤に対して前記ＤＣ電源を供給するようにしてもよい。
【０２８８】
このように、複数からなる供給盤４００は、複数の供給盤４００毎にそれぞれ複数の電源盤１００、２００、３００のうち前記ＤＣ電源を供給する供給対象電源盤が予め指定され、前記予め指定された供給対象電源盤に対して前記ＤＣ電源を供給することができる。
【０２８９】
例えば、図５ａに示すように、第１供給盤４００には、第１、第２及び第３電源盤１００、２００、３００が供給対象電源盤として予め指定され、第２供給盤４００’には、第１’、第２’及び第３’電源盤１００’、２００’、３００’が供給対象電源盤として予め指定されており、第１、第２及び第３電源盤１００、２００、３００に異常が発生すると、第１供給盤４００が第１、第２及び第３電源盤１００、２００、３００に前記ＤＣ電源を供給し、第１’、第２’及び第３’電源盤１００’、２００’、３００’に異常が発生すると、第２供給盤４００’が第１’、第２’及び第３’電源盤１００’、２００’、３００’に前記ＤＣ電源を供給するようにしてもよい。
【０２９０】
すなわち、システム１０００は、供給盤４００が複数からなる場合、複数の供給盤４００毎にそれぞれ前記ＤＣ電源の供給対象電源盤を指定し、前記ＤＣ電源の供給が分けられて行われるようにしてもよい。
【０２９１】
この場合、第１及び第２供給盤４００、４００’は、複数の電源盤１００、２００、３００、１００’、２００’、３００’の異常状態によって前記供給対象電源盤がスイッチングされるようにしてもよい。
【０２９２】
システム１０００は、供給盤４００が複数からなる場合、複数の供給盤４００のそれぞれによって領域又はグループが分けられて運転されるようにしてもよい。
【０２９３】
前記供給対象電源盤は、複数の電源盤１００、２００、３００、１００’、２００’、３００’が複数のグループに分けられ、前記分けられたグループ別に複数の供給盤４００、４００’のそれぞれに予め指定され、複数の供給盤４００、４００’のそれぞれは、前記分けられたグループに属する供給対象電源盤に対して前記ＤＣ電源を供給するようにしてもよい。
【０２９４】
すなわち、図５ｂに示すように、第１供給盤４００には、第１グループＧ１に属する電源盤１００、２００、３００が前記供給対象電源盤として指定され、第２供給盤４００’には、第２グループＧ２に属する電源盤１００’、２００’、３００’が前記供給対象電源盤として指定され、第１供給盤４００が前記第１グループに属する電源盤１００、２００、３００を担当して前記ＤＣ電源を供給し、第２供給盤４００’が前記第２グループに属する電源盤１００’、２００’、３００’を担当して前記ＤＣ電源を供給するようにしてもよい。
【０２９５】
これによれば、システム１０００は、図５ｂに示すような複数からなる場合のようになる。
【０２９６】
供給盤４００は、複数の電源盤１００、２００、３００のそれぞれが所定距離以内で離隔する位置に備えられてもよい。
【０２９７】
供給盤４００は、複数の電源盤１００、２００、３００のそれぞれとの離隔距離が最小となる位置に備えられてもよい。
【０２９８】
例えば、供給盤４００は、複数の電源盤１００、２００、３００の配置構造において中心部に該当する位置に備えられてもよい。
【０２９９】
すなわち、供給盤４００は、複数の電源盤１００、２００、３００が配置された構造において中央部に配置されてもよい。
【０３００】
このように、供給盤４００が複数の電源盤１００、２００、３００の配置構造において中心部に該当する位置に備えられた場合、複数の電源盤１００、２００、３００のそれぞれへの前記ＤＣ電源の供給を容易に行うことができ、前記ＤＣ電源の供給過程で発生する損失を低減することができる。
【０３０１】
以上説明したようなシステム１０００の運転は、図６〜図９に示すように行われるようにしてもよい。
【０３０２】
図６〜図９に示す運転例は、システム１０００が３つの電源盤１００、２００、３００及び１つの供給盤４００を含む場合の運転例であり、システム１０００は、複数の電源盤１００、２００、３００を３つ未満又は３つ以上含んでもよく、また、供給盤４００を複数含んでもよい。
【０３０３】
好ましい実施形態として、システム１０００は、図６〜図９に示すように、３つの電源盤１００、２００、３００及び１つの供給盤４００を含んでもよい。以下、図６〜図９に示すように、複数の電源盤１００、２００、３００が３つであり、供給盤４００が１つである場合を例に挙げて説明する。
【０３０４】
図６は複数の電源盤１００、２００、３００及び供給盤４００のそれぞれが１つ以上の電源供給源１０のうち系統電源Ｇから電源供給を受ける場合であり、この場合、バイパス電源Ｐ及びバッテリ電源Ｂからの電源供給は遮断され、系統電源Ｇから電源供給を受けて前記ＤＣ電源、前記駆動電源の順に変換して負荷２０のそれぞれに供給する。
【０３０５】
図６に示す運転例は、系統電源Ｇから電源供給を受けて運転する一般的な運転の場合であり、システム１０００の平時運転はこのように行われる。
【０３０６】
図７は複数の電源盤１００、２００、３００及び供給盤４００のそれぞれが１つ以上の電源供給源１０のうちバイパス電源Ｐから電源供給を受ける場合であり、系統電源Ｇに異常が発生した場合がこれに該当し、この場合、系統電源Ｇ及びバッテリ電源Ｂからの電源供給は遮断され、バイパス電源Ｐから電源供給を受けて前記ＤＣ電源、前記駆動電源の順に変換して負荷２０のそれぞれに供給する。
【０３０７】
図７に示す運転例は、バイパス電源Ｐから電源供給を受けて運転する特殊運転の場合であり、システム１０００の特殊運転はこのように行われる。
【０３０８】
図８は複数の電源盤１００、２００、３００及び供給盤４００のそれぞれが１つ以上の電源供給源１０のうちバッテリ電源Ｂから電源供給を受ける場合であり、系統電源Ｇ及びバイパス電源Ｐに異常が発生した場合がこれに該当し、この場合、系統電源Ｇ及びバイパス電源Ｐからの電源供給は遮断され、バッテリ電源Ｂから電源供給を受けて前記ＤＣ電源、前記駆動電源の順に変換して負荷２０のそれぞれに供給する。
【０３０９】
図８に示す運転例は、バッテリ電源Ｂから電源供給を受けて運転する停電運転の場合であり、システム１０００の停電運転はこのように行われる。
【０３１０】
図９は複数の電源盤１００、２００、３００及び供給盤４００のそれぞれが１つ以上の電源供給源１０のうち非常用電源Ａから電源供給を受ける場合であり、系統電源Ｇ、バイパス電源Ｐ及びバッテリ電源Ｂに異常が発生した場合がこれに該当し、この場合、系統電源Ｇ、バイパス電源Ｐ及びバッテリ電源Ｂからの電源供給は遮断され、非常用電源Ａが負荷２０のそれぞれに前記駆動電源を直接供給する。
【０３１１】
図９に示す運転例は、非常用電源Ａから電源供給を受けて運転する非常運転の場合であり、システム１０００の非常運転はこのように行われる。
【０３１２】
このように、システム１０００は、複数の電源盤１００、２００、３００及び供給盤４００のそれぞれが同じ電源供給源から電源供給を受けて運転するようにしてもよく、複数の電源盤１００、２００、３００及び供給盤４００のそれぞれが１つ以上の電源供給源１０のいずれかから選択的に電源供給を受けて運転するようにしてもよい。
【０３１３】
例えば、第１及び第２電源盤１００、２００は系統電源Ｇから電源供給を受けて運転し、第３電源盤３００はバイパス電源Ｐから電源供給を受けて運転し、供給盤４００はバッテリ電源Ｂから電源供給を受けて運転するようにしてもよい。
【０３１４】
また、複数の電源盤１００、２００、３００及び供給盤４００のそれぞれは、１つ以上の電源供給源１０から電源供給を受けて運転するようにしてもよい。
【０３１５】
例えば、第１電源盤１００に異常が発生して第２電源盤２００から第１電源盤１００に前記ＤＣ電源を供給する場合、第２電源盤２００が、系統電源Ｇから供給された電源を第２変換装置２１０＃１により前記ＤＣ電源に変換して複数のインバータ２２０のそれぞれに送り、さらにバイパス電源Ｐから供給された電源を第２変換装置２１０＃３により前記ＤＣ電源に変換し、第２変換装置２１０＃３で変換された前記ＤＣ電源を第１電源盤１００の第２電力変換装置１２０のそれぞれに送るようにしてもよい。
【０３１６】
この例においては、第１電源盤１００及び第２電源盤２００のそれぞれの第１及び第２遮断器１３０、２３０を閉路することにより、第１電源盤１００と第２電源盤２００が接続され、第２電源盤２００から第１電源盤１００への前記ＤＣ電源の供給が行われる。
【０３１７】
このように、複数の電源盤１００、２００、３００及び供給盤４００のそれぞれが１つ以上の電源供給源１０から電源供給を受けて運転することにより、複数の電源盤１００、２００、３００及び供給盤４００間の電源供給、すなわち複数の電源盤１００、２００、３００間のＵＰＳ機能の実行及び供給盤４００のＵＰＳ機能の実行を行うことができる。
【０３１８】
以下、本発明の他の実施形態による電源供給システムについて説明する。
【０３１９】
電源供給システム１０００（以下、システムという）は、図１０に示すように、１つ以上の電源供給源１０から供給された電源をＤＣ電源に変換し、前記ＤＣ電源を負荷２０の駆動電源に変換し、負荷２０に供給する複数の電源盤１００、２００、３００、４００と、複数の電源盤１００、２００、３００、４００のそれぞれの一側に配置され、複数の電源盤１００、２００、３００、４００のそれぞれの一側と前記一側に隣接する電源盤の他側間で２つの電源盤の電源端を接続又は分離する複数の遮断器１３０とを含み、複数の遮断器１３０は、複数の電源盤１００、２００、３００、４００の１つ以上において電源供給が中断されると、前記電源供給が中断された電源盤の一側及び他側に接続された遮断器の１つ以上が閉路され、前記電源供給が中断された電源盤の電源端を前記電源供給が中断された電源盤の両側に接続された電源盤の電源端の１つ以上に接続する。
【０３２０】
システム１０００において、複数の遮断器１３０は、複数の電源盤１００、２００、３００、４００の１つ以上の電源供給状態によって開閉を変えて、複数の電源盤１００、２００、３００、４００間で前記ＤＣ電源を接続又は切断する。
【０３２１】
複数の遮断器１３０は、複数の電源盤１００、２００、３００、４００間の接続がリング構造を形成するように、複数の電源盤１００、２００、３００、４００のそれぞれの一側と前記一側に隣接する電源盤の他側間で２つの電源盤を接続又は分離するようにしてもよい。
【０３２２】
よって、複数の電源盤１００、２００、３００、４００のそれぞれが隣接する２つの電源盤に接続され、複数の電源盤１００、２００、３００、４００がリング構造で接続される。
【０３２３】
ここで、複数の電源盤１００、２００、３００、４００のそれぞれは、図１１及び図１２に示すような電源供給装置１００であってもよい。
【０３２４】
すなわち、電源盤１００は、図１１及び図１２に示すような電源供給装置の構成からなるようにしてもよく、また、電源供給システム１０００は、図１１及び図１２に示すような電源供給装置１００の形態の電源盤を複数含み、複数の電源盤１００、２００、３００、４００を含むようにしてもよい。
【０３２５】
電源盤１００は、図１１に示すように、１つ以上の電源供給源１０のそれぞれから供給された電源を前記ＤＣ電源に変換する１つ以上の第１電力変換装置１１０と、前記ＤＣ電源を負荷２０の駆動のための前記駆動電源に変換し、前記駆動電源を負荷２０に供給する１つ以上の第２電力変換装置１２０とを含んでもよい。
【０３２６】
このように、電源盤１００は、１つ以上の第１電力変換装置１１０及び第２電力変換装置１２０を含み、１つ以上の電源供給源１０から供給された電源を前記駆動電源に変換して負荷２０に供給する。
【０３２７】
１つ以上の第１電力変換装置１１０及び第２電力変換装置１２０を含む電源盤１００の具体的な構成は、図１１及び図１２に示すようにしてもよい。
【０３２８】
電源盤１００に電源を供給する１つ以上の電源供給源１０は、外部から１つ以上の第１電力変換装置１１０に接続され、１つ以上の第１電力変換装置１１０のそれぞれに電源を供給するようにしてもよい。
【０３２９】
１つ以上の電源供給源１０のそれぞれは、１つ以上の第１電力変換装置１１０のそれぞれに接続され、１つ以上の第１電力変換装置１１０のそれぞれに直流又は交流電源を供給するようにしてもよい。
【０３３０】
１つ以上の電源供給源１０は、図１１及び図１２に示すように、ＡＣ電源を供給する第１交流電源１０＃１及び第２交流電源１０＃３と、ＤＣ電源を蓄えるバッテリ電源１０＃２とを含んでもよい。
【０３３１】
ここで、第１交流電源１０＃１はＡＣ電源を供給する主系統電源Ｇであり、第２交流電源１０＃３はＡＣ電源を供給するバイパス系統電源Ｐであり、バッテリ電源１０＃２はＤＣ電源を供給するバッテリ電源Ｂであってもよい。
【０３３２】
すなわち、１つ以上の電源供給源１０は、図１３に示すように、系統電源Ｇ、バイパス電源Ｐ及びバッテリ電源Ｂを含んでもよい。
【０３３３】
よって、複数の電源盤１００、２００、３００、４００のそれぞれには、系統電源Ｇ、バイパス電源Ｐ及びバッテリ電源Ｂのそれぞれから電源が供給されることになる。
【０３３４】
第１交流電源１０＃１は、系統電源Ｇであってもよい。
【０３３５】
第１交流電源１０＃１は、４４０［Ｖ］のＡＣ電源を供給する系統電源Ｇであってもよい。
【０３３６】
第２交流電源１０＃３は、バイパス電源Ｐであってもよい。
【０３３７】
第２交流電源１０＃３は、４４０［Ｖ］のＡＣ電源を供給するバイパス電源Ｐであってもよい。
【０３３８】
バッテリ電源１０＃２は、ＤＣ電源を蓄え、非常時に蓄えられたＤＣ電源を供給する非常用バッテリであってもよい。
【０３３９】
バッテリ電源１０＃２は、第１交流電源１０＃１及び第２交流電源１０＃３に異常が発生すると、蓄えられたＤＣ電源を電源盤１００に供給するようにしてもよい。
【０３４０】
バッテリ電源Ｂには前記ＤＣ電源が蓄えられており、第１交流電源１０＃１及び第２交流電源１０＃３の電源供給が中断されると、前記電源供給が切り替えられて復旧される間、バッテリ電源Ｂに蓄えられた電源が複数の電源盤１００、２００、３００、４００に供給されるようにしてもよい。
【０３４１】
バッテリ電源Ｂは、前記電源供給が中断されてから前記電源供給が切り替えられて復旧されるまで、前記蓄えられた電源を複数の電源盤１００、２００、３００、４００に無瞬断で供給するようにしてもよい。
【０３４２】
また、１つ以上の電源供給源１０は、第１交流電源Ｇ、第２交流電源Ｐ及びバッテリ電源Ｂの電源供給が中断されると、非常発電電源を負荷２０に供給する非常用電源Ａをさらに含んでもよい。
【０３４３】
非常用電源Ａは、第１交流電源Ｇ、第２交流電源Ｐ及びバッテリ電源Ｂに異常が発生すると、非常発電電源を負荷２０に供給するようにしてもよい。
【０３４４】
非常用電源Ａは、複数の電源盤１００、２００、３００、４００のそれぞれに電源を供給する第１交流電源Ｇ、第２交流電源Ｐ及びバッテリ電源Ｂの全てに異常が発生して電源を供給できない場合、非常用電源を負荷２０のそれぞれに供給して負荷２０の駆動を所定時間維持する電源であってもよい。
【０３４５】
例えば、非常用電源Ａは、非常用発電機を含む電源であってもよい。
【０３４６】
複数の電源盤１００、２００、３００、４００のそれぞれには、図１３に示すように、３つの電源供給源１０、すなわち系統電源Ｇ、バイパス電源Ｐ及びバッテリ電源Ｂから電源が供給され、非常用電源Ａからは系統電源Ｇ、バイパス電源Ｐ及びバッテリ電源Ｂが電源を供給できない場合にのみ電源が供給されることが好ましい。
【０３４７】
ここで、複数の電源盤１００、２００、３００、４００のそれぞれに電源を供給する１つ以上の電源供給源１０のそれぞれは、１つの系統から複数の電源盤１００、２００、３００、４００のそれぞれに電源を供給するようにしてもよく、分離された配電盤により分離された配電盤のそれぞれから複数の電源盤１００、２００、３００、４００のそれぞれに電源を供給するようにしてもよい。
【０３４８】
複数の電源盤１００、２００、３００、４００のそれぞれは、１つ以上の電源供給源１０から供給された電源を前記ＤＣ電源に変換する１つ以上の第１電力変換装置１１０、２１０、３１０、４１０と、１つ以上の第１電力変換装置１１０、２１０、３１０、４１０から供給された前記ＤＣ電源を前記駆動電源に変換して負荷２０に供給する第２電力変換装置１２０、２２０、３２０、４２０とを含んでもよい。
【０３４９】
ここで、１つ以上の第１電力変換装置１１０、２１０、３１０、４１０及び第２電力変換装置１２０、２２０、３２０、４２０は、複数からなるようにしてもよい。
【０３５０】
複数の電源盤１００、２００、３００、４００のそれぞれは、１つ以上の電源供給源１０の状態によって、１つ以上の第１電力変換装置１１０、２１０、３１０、４１０のいずれかにより１つ以上の第２電力変換装置１２０、２２０、３２０、４２０に前記ＤＣ電源が供給されるようにしてもよい。
【０３５１】
第１電力変換装置１１０、２１０、３１０、４１０は、供給された電源をＤＣ電源に変換する装置であり、例えばコンバータであってもよい。
【０３５２】
第１電力変換装置１１０、２１０、３１０、４１０は、ＡＣ電源をＤＣ電源に変換するＡＣ／ＤＣコンバータであってもよく、ＤＣ電源をＤＣ電源に変換するＤＣ／ＤＣコンバータであってもよい。
【０３５３】
１つ以上の第１電力変換装置１１０、２１０、３１０、４１０は、ＡＣ電源をＤＣ電源に変換するＡＣ／ＤＣコンバータ及びＤＣ電源のレベルを変換するＤＣ／ＤＣコンバータの１つ以上を含んでもよい。
【０３５４】
１つ以上の第１電力変換装置１１０、２１０、３１０、４１０は、１つ以上の電源供給源１０のそれぞれに対応して、３つの変換装置１１０＃１〜＃３、２１０＃１〜＃３、３１０＃１〜＃３、４１０＃１〜＃３を含んでもよい。
【０３５５】
１つ以上の第１電力変換装置１１０、２１０、３１０、４１０は、第１交流電源１０＃１、バッテリ電源１０＃２及び第２交流電源１０＃３のそれぞれに接続され、接続された電源供給源から電源が供給される第１〜第３変換装置１１０＃１〜＃３、２１０＃１〜＃３、３１０＃１〜＃３、４１０＃１〜＃３を含んでもよい。
【０３５６】
これによれば、第１交流電源１０＃１は、第１変換装置１１０＃１、２１０＃１、３１０＃１、４１０＃１に接続され、第１変換装置１１０＃１、２１０＃１、３１０＃１、４１０＃１にＡＣ電源を供給し、バッテリ電源１０＃２は、第２変換装置１１０＃２、２１０＃２、３１０＃２、４１０＃２に接続され、第２変換装置１１０＃２、２１０＃２、３１０＃２、４１０＃２にＤＣ電源を供給し、第２交流電源１０＃３は、第３変換装置１１０＃３、２１０＃３、３１０＃３、４１０＃３に接続され、第３変換装置１１０＃３、２１０＃３、３１０＃３、４１０＃３にＡＣ電源を供給することになる。
【０３５７】
第１変換装置１１０＃１、２１０＃１、３１０＃１、４１０＃１は、ＡＣ電源をＤＣ電源に変換するＡＣ／ＤＣコンバータであってもよく、また、第２変換装置１１０＃２、２１０＃２、３１０＃２、４１０＃２は、ＤＣ電源のレベルを変換するＤＣ／ＤＣコンバータであってもよく、また、第３変換装置１１０＃３、２１０＃３、３１０＃３、４１０＃３は、ＡＣ電源をＤＣ電源に変換するＡＣ／ＤＣコンバータであってもよい。
【０３５８】
１つ以上の第１電力変換装置１１０、２１０、３１０、４１０のそれぞれは、前段及び後段のそれぞれに接続を開閉する開閉手段を含んでもよい。
【０３５９】
前記開閉手段は、１つ以上の第１電力変換装置１１０、２１０、３１０、４１０のそれぞれの入力端及び出力端のそれぞれに備えられ、１つ以上の第１電力変換装置１１０、２１０、３１０、４１０において入出力される電源を断続するスイッチであってもよい。
【０３６０】
ここで、前記入力端に備えられる開閉手段は、過電流を検知して回路を遮断する遮断器であってもよい。
【０３６１】
より具体的には、第１交流電源１０＃１及び第２交流電源１０＃３からＡＣ電源が供給される第１変換装置１１０＃１、２１０＃１、３１０＃１、４１０＃１及び第３変換装置１１０＃３、２１０＃３、３１０＃３、４１０＃３の入力端には、交流気中遮断器（ACB: Air Circuit Breaker）が備えられ、バッテリ電源１０＃２からＤＣ電源が供給される第２変換装置１１０＃２、２１０＃２、３１０＃２、４１０＃２の入力端には、直流配線用遮断器（MCCB: Molded Circuit Breaker）が備えられてもよい。
【０３６２】
前記開閉手段は、１つ以上の第１電力変換装置１１０、２１０、３１０、４１０の動作によって１つ以上の第１電力変換装置１１０、２１０、３１０、４１０の接続を開閉するようにしてもよい。
【０３６３】
例えば、１つ以上の電源供給源１０から電源供給を受けない場合、前記入力端及び前記出力端のそれぞれに備えられる開閉手段が開路され、当該変換装置の接続が分離されるようにしてもよい。
【０３６４】
１つ以上の第１電力変換装置１１０、２１０、３１０、４１０は、前記出力端が１つの電源端Ｏ１、Ｏ２、Ｏ３、Ｏ４に接続されてもよい。
【０３６５】
すなわち、１つ以上の第１電力変換装置１１０、２１０、３１０、４１０は、前記出力端が電源端Ｏ１、Ｏ２、Ｏ３、Ｏ４に共通に接続され、１つ以上の第１電力変換装置１１０、２１０、３１０、４１０で変換された前記ＤＣ電源が流れるようにしてもよい。
【０３６６】
よって、電源端Ｏ１、Ｏ２、Ｏ３、Ｏ４は、１つ以上の第１電力変換装置１１０、２１０、３１０、４１０の出力端が共通に接続され、１つ以上の第１電力変換装置１１０、２１０、３１０、４１０から出力された前記ＤＣ電源が流れる電路であってもよい。
【０３６７】
電源端Ｏ１、Ｏ２、Ｏ３、Ｏ４は、第２電力変換装置１２０、２２０、３２０、４２０の入力端に接続されてもよい。
【０３６８】
電源端Ｏ１、Ｏ２、Ｏ３、Ｏ４は、他の電源盤１００、２００、３００もしくは４００の電源端のうちいずれか２つの電源端Ｏ１〜Ｏ４に接続されてもよい。
【０３６９】
電源端Ｏ１、Ｏ２、Ｏ３、Ｏ４は、第２電力変換装置１２０、２２０、３２０、４２０のそれぞれの入力端に接続され、前記ＤＣ電源が他の電源盤１００、２００、３００もしくは４００又は第２電力変換装置１２０、２２０、３２０、４２０に送られるようにしてもよい。
【０３７０】
電源端Ｏ１、Ｏ２、Ｏ３、Ｏ４は、複数の遮断器１３０のうちいずれか２つの遮断器に接続されてもよい。
【０３７１】
すなわち、電源端Ｏ１、Ｏ２、Ｏ３、Ｏ４は、電源端Ｏ１、Ｏ２、Ｏ３、Ｏ４に接続されたいずれか２つの遮断器により接続が断続されるようにしてもよい。
【０３７２】
よって、電源端Ｏ１、Ｏ２、Ｏ３、Ｏ４を介して送られる前記ＤＣ電源は、電源端Ｏ１、Ｏ２、Ｏ３、Ｏ４に接続された遮断器により制御することができる。
【０３７３】
このように、１つ以上の第１電力変換装置１１０、２１０、３１０、４１０の出力端が共通に接続された電源端Ｏ１、Ｏ２、Ｏ３、Ｏ４が第２電力変換装置１２０、２２０、３２０、４２０の入力端に接続されることにより、電源端Ｏ１、Ｏ２、Ｏ３、Ｏ４を介して、１つ以上の第１電力変換装置１１０、２１０、３１０、４１０で変換されて出力された前記ＤＣ電源を送ることができるようになる。
【０３７４】
１つ以上の第１電力変換装置１１０、２１０、３１０、４１０で変換されて出力された前記ＤＣ電源は、第２電力変換装置１２０、２２０、３２０、４２０に送られるようにしてもよい。
【０３７５】
１つ以上の第１電力変換装置１１０、２１０、３１０、４１０は、第１〜第３変換装置１１０＃１〜＃３、２１０＃１〜＃３、３１０＃１〜＃３、４１０＃１〜＃３のいずれかが動作し、第２電力変換装置１２０、２２０、３２０、４２０に前記ＤＣ電源を供給するようにしてもよい。
【０３７６】
複数の電源盤１００、２００、３００、４００は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３以外の他の変換装置により第２電力変換装置１２０、２２０、３２０、４２０に前記ＤＣ電源が供給されるようにしてもよい。
【０３７７】
１つ以上の第１電力変換装置１１０、２１０、３１０、４１０は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３が前記他の変換装置に切り替えられる間、バッテリ電源１０＃２から電源供給を受ける変換装置１１０＃２、２１０＃２、３１０＃２、４１０＃２により第２電力変換装置１２０、２２０、３２０、４２０に前記ＤＣ電源を供給するようにしてもよい。
【０３７８】
ここで、変換装置１１０＃１〜＃３、２１０＃１〜＃３、３１０＃１〜＃３、４１０＃１〜＃３の電源供給が中断されるとは、変換装置１１０＃１〜＃３、２１０＃１〜＃３、３１０＃１〜＃３、４１０＃１〜＃３、変換装置１１０＃１〜＃３、２１０＃１〜＃３、３１０＃１〜＃３、４１０＃１〜＃３に接続された供給源、及び前記ＤＣ電源の定格のいずれか１つ以上において異常状態が検出されることであってもよい。
【０３７９】
例えば、第１交流電源１０＃１に接続された第１変換装置１１０＃１、２１０＃１、３１０＃１、４１０＃１が第２電力変換装置１２０、２２０、３２０、４２０に前記ＤＣ電源を供給している間に、第１変換装置１１０＃１、２１０＃１、３１０＃１、４１０＃１から出力される前記ＤＣ電源の定格が低下して所定基準以下になると、第１変換装置１１０＃１、２１０＃１、３１０＃１、４１０＃１以外の他の変換装置である第３変換装置１１０＃３、２１０＃３、３１０＃３、４１０＃３により第２電力変換装置１２０、２２０、３２０、４２０に前記ＤＣ電源が供給されるようにしてもよい。
【０３８０】
この場合、１つ以上の第１電力変換装置１１０、２１０、３１０、４１０は、第１変換装置１１０＃１、２１０＃１、３１０＃１、４１０＃１が第３変換装置１１０＃３、２１０＃３、３１０＃３、４１０＃３に切り替えられる間、バッテリ電源１０＃２に接続された第２変換装置１１０＃２、２１０＃２、３１０＃２、４１０＃２により第２電力変換装置１２０、２２０、３２０、４２０に前記ＤＣ電源を供給するようにしてもよい。
【０３８１】
すなわち、バッテリ電源１０＃２に接続された第２変換装置１１０＃２、２１０＃２、３１０＃２、４１０＃２は、第２電力変換装置１２０、２２０、３２０、４２０への前記ＤＣ電源の供給が中断されると、前記ＤＣ電源の供給が切り替えられて復旧されるまで、第２電力変換装置１２０、２２０、３２０、４２０に前記ＤＣ電源を供給するようにしてもよい。
【０３８２】
第２電力変換装置１２０、２２０、３２０、４２０は、複数からなるようにしてもよい。
【０３８３】
第２電力変換装置１２０、２２０、３２０、４２０は、供給されたＤＣ電源を前記駆動電源に変換する装置であり、例えばインバータであってもよい。
【０３８４】
第２電力変換装置１２０、２２０、３２０、４２０は、前記負荷がＡＣ電源で駆動される負荷である場合、１つ以上の第１電力変換装置１１０、２１０、３１０、４１０からのＤＣ電源をＡＣの駆動電源に変換するインバータであってもよい。
【０３８５】
第２電力変換装置１２０、２２０、３２０、４２０は、前記負荷がＤＣ電源で駆動される負荷である場合、１つ以上の第１電力変換装置１１０、２１０、３１０、４１０からのＤＣ電源をＤＣの駆動電源に変換するインバータであってもよい。
【０３８６】
第２電力変換装置１２０、２２０、３２０、４２０は、負荷２０に対応する数で備えられてもよい。
【０３８７】
負荷２０は、複数からなるようにしてもよい。
【０３８８】
第２電力変換装置１２０、２２０、３２０、４２０は、負荷２０に対応して、３つ以上のインバータ１２０＃１〜＃３、２２０＃１〜＃３、３２０＃１〜＃３、４２０＃１〜＃３を含んでもよい。
【０３８９】
第２電力変換装置１２０、２２０、３２０、４２０のそれぞれは、負荷２０のそれぞれに接続され、接続された負荷２０に前記駆動電源を供給するようにしてもよい。
【０３９０】
第２電力変換装置１２０、２２０、３２０、４２０のそれぞれは、前段に接続を開閉する開閉手段を含んでもよい。
【０３９１】
前記開閉手段は、第２電力変換装置１２０、２２０、３２０、４２０のそれぞれの入力端に備えられ、第２電力変換装置１２０、２２０、３２０、４２０に入力される電源を断続するスイッチであってもよい。
【０３９２】
ここで、前記入力端に備えられる開閉手段は、過電流を検知して回路を遮断する遮断器であってもよい。
【０３９３】
第２電力変換装置１２０、２２０、３２０、４２０で変換されて出力される前記駆動電源は、負荷２０のそれぞれに送られるようにしてもよい。
【０３９４】
ここで、負荷２０は、電動機（Ｍ）負荷を含んでもよい。
【０３９５】
複数の電源盤１００、２００、３００、４００のそれぞれは、電源端Ｏ１〜Ｏ４が他の電源盤のうち隣接する２つの電源盤の電源端Ｏ１〜Ｏ４のそれぞれに接続されるようにしてもよい。
【０３９６】
複数の電源盤１００、２００、３００、４００は、いずれかの電源盤の電源端Ｏ１〜Ｏ４と隣接する２つの電源盤の電源端Ｏ１〜Ｏ４間にそれぞれ複数の遮断器１３０のそれぞれが配置されるようにしてもよい。
【０３９７】
複数の電源盤１００、２００、３００、４００のそれぞれの電源端Ｏ１〜Ｏ４は、複数の遮断器１３０（１３０ａ〜１３０ｄ）に接続されてもよい。
【０３９８】
複数の電源盤１００、２００、３００、４００のそれぞれは、前記ＤＣ電源が出力される電源端Ｏ１〜Ｏ４が複数の遮断器１３０のうちいずれか２つの遮断器に接続されるようにしてもよい。
【０３９９】
すなわち、複数の電源盤１００、２００、３００、４００のそれぞれの電源端Ｏ１〜Ｏ４は、２つの遮断器に接続されてもよい。
【０４００】
例えば、複数の電源盤１００、２００、３００、４００が図１０に示すように４つである場合、第１電源盤１００が第１遮断器１３０ａ及び第２遮断器１３０ｂに接続され、第２電源盤２００が第２遮断器１３０ｂ及び第４遮断器１３０ｄに接続され、第３電源盤３００が第１遮断器１３０ａ及び第３遮断器１３０ｃに接続され、第４電源盤４００が第３遮断器１３０ｃ及び第４遮断器１３０ｄに接続されるようにしてもよい。
【０４０１】
つまり、複数の遮断器１３０のそれぞれが２つの電源盤に接続される。
【０４０２】
例えば、第１遮断器１３０ａは、第１電源盤１００及び第３電源盤３００に接続され、第２遮断器１３０ｂは、第１電源盤１００及び第２電源盤２００に接続され、第３遮断器１３０ｃは、第３電源盤３００及び第４電源盤４００に接続され、第４遮断器１３０ｄは、第２電源盤２００及び第４電源盤４００に接続されるようにしてもよい。
【０４０３】
複数の電源盤１００、２００、３００、４００は、いずれかの電源盤の電源端が他の２つの電源盤の電源端のそれぞれに接続されてもよい。
【０４０４】
すなわち、複数の電源盤１００、２００、３００、４００は、他の２つの電源盤のそれぞれに接続されてもよい。
【０４０５】
例えば、第１電源盤１００は、第１遮断器１３０ａを介して第３電源盤３００に接続され、第２遮断器１３０ｂを介して第２電源盤２００に接続され、第２及び第３電源盤２００、３００のそれぞれに接続されてもよい。
【０４０６】
また、第２電源盤２００は、第２遮断器１３０ｂを介して第１電源盤１００に接続され、第４遮断器１３０ｄを介して第４電源盤４００に接続され、第１及び第４電源盤１００、４００のそれぞれに接続されてもよい。
【０４０７】
さらに、第３電源盤３００は、第１遮断器１３０ａを介して第１電源盤１００に接続され、第３遮断器１３０ｃを介して第４電源盤４００に接続され、第１及び第４電源盤１００、４００のそれぞれに接続されてもよい。
【０４０８】
さらに、第４電源盤４００は、第３遮断器１３０ｃを介して第３電源盤３００に接続され、第４遮断器１３０ｄを介して第２電源盤２００に接続され、第２及び第３電源盤２００、３００のそれぞれに接続されてもよい。
【０４０９】
電源端Ｏ１〜Ｏ４に接続される複数の遮断器１３０は、ＤＣ電源を遮断するＤＣ遮断器であってもよい。
【０４１０】
電源端Ｏ１〜Ｏ４のそれぞれは、複数の遮断器１３０のいずれか２つに接続されてもよい。
【０４１１】
複数の電源盤１００、２００、３００、４００のそれぞれは、前記電源端の一端に該当する第１電源端と、前記電源端の他端に該当する第２電源端とを含み、複数の遮断器１３０は、２つの電源盤間にそれぞれ配置され、一側の電源盤の第１電源端と他側の電源盤の第２電源端を接続又は分離するようにしてもよい。
【０４１２】
前記第１電源端及び前記第２電源端は、複数の電源盤１００、２００、３００、４００の電源端から延びた電源端であってもよい。
【０４１３】
前記第１電源端及び前記第２電源端は、複数の電源盤１００、２００、３００、４００の電源端から延び、複数の電源盤１００、２００、３００、４００の外部で複数の遮断器１３０に接続される電源端であってもよい。
【０４１４】
すなわち、前記第１電源端及び前記第２電源端は、複数の電源盤１００、２００、３００、４００の電源ポートであってもよい。
【０４１５】
つまり、複数の電源盤１００、２００、３００、４００のそれぞれは、第１及び第２電源端の２つの電源ポートを備えてもよい。
【０４１６】
上記の場合、複数の遮断器１３０は、２つの電源盤間にそれぞれ配置され、一側の電源盤の第１電源端と他側の電源盤の第２電源端を接続又は分離するようにしてもよい。
【０４１７】
すなわち、複数の遮断器１３０のそれぞれは、一側の電源盤の第１電源端と他側の電源盤の第２電源端間にそれぞれ配置され、両側に１つの電源盤の第１電源端及び他の電源盤の第２電源端のそれぞれが接続されてもよい。
【０４１８】
つまり、複数の遮断器１３０のそれぞれは、一側に１つの電源盤の第１電源端が接続され、他側に前記１つの電源盤に隣接する電源盤の第２電源端が接続されてもよい。
【０４１９】
よって、複数の電源盤１００、２００、３００、４００のそれぞれの両側に２つの電源盤がそれぞれ接続されることにより、複数の電源盤１００、２００、３００、４００間にインナーループの接続構造が形成される。
【０４２０】
複数の遮断器１３０は、電源端Ｏ１〜Ｏ４のうち隣接する２つの電源盤の電源端間の電路のそれぞれに備えられ、複数の電源盤１００、２００、３００、４００間の接続を断続するようにしてもよい。
【０４２１】
複数の遮断器１３０は、複数の電源盤１００、２００、３００、４００において１つ以上の第１電力変換装置１１０、２１０、３１０、４１０のそれぞれの出力端が接続された電源端Ｏ１〜Ｏ４のうち隣接する２つの電源端が互いに接続される電路のそれぞれに備えられてもよい。
【０４２２】
すなわち、複数の遮断器１３０は、電源端Ｏ１〜Ｏ４間に備えられ、複数の電源盤１００、２００、３００、４００間の接続を断続するようにしてもよい。
【０４２３】
これによれば、複数の電源盤１００、２００、３００、４００は、電源端Ｏ１〜Ｏ４を介して互いに接続され、複数の遮断器１３０の開閉により複数の電源盤１００、２００、３００、４００間の接続を断続することができる。
【０４２４】
電源端Ｏ１〜Ｏ４間に配置されて電源端Ｏ１〜Ｏ４間を接続又は切断する複数の遮断器１３０は、ＤＣ専用配線用遮断器（ＭＣＣＢ）であってもよい。
【０４２５】
複数の遮断器１３０は、前記ＤＣ電源、前記駆動電源、１つ以上の第１電力変換装置１１０、２１０、３１０、４１０、及び負荷２０の少なくとも１つの状態によって開閉を変えて、電源端Ｏ１〜Ｏ４間でそれぞれ前記ＤＣ電源を接続又は切断するようにしてもよい。
【０４２６】
ここで、前記少なくとも１つの状態は、前記ＤＣ電源が初期状態から変動した場合、前記駆動電源が初期状態から変動した場合、１つ以上の第１電力変換装置１１０、２１０、３１０、４１０の電源供給状態が変動した場合、及び負荷２０の駆動状態が変動した場合の１つ以上であってもよい。
【０４２７】
例えば、前記少なくとも１つの状態は、前記ＤＣ電源又は前記駆動電源が基準定格以下となった場合、１つ以上の第１電力変換装置１１０、２１０、３１０、４１０に故障／事故が発生して電源供給状態が変動した場合、又は負荷２０に供給される前記駆動電源が低下して負荷２０の駆動状態が変動した場合であってもよい。
【０４２８】
複数の電源盤１００、２００、３００、４００は、電源端Ｏ１〜Ｏ４間に配置される複数の遮断器１３０が複数の電源盤１００、２００、３００、４００のそれぞれを隣接する電源盤に接続又は分離することにより、電源端Ｏ１〜Ｏ４間の接続がリング構造を形成するようにしてもよい。
【０４２９】
例えば、複数の電源盤１００、２００、３００、４００のそれぞれの電源端Ｏ１〜Ｏ４が接続されることにより、複数の電源盤１００、２００、３００、４００間で前記ＤＣ電源を送ることができるようになる。
【０４３０】
よって、複数の電源盤１００、２００、３００、４００は、ループ状に接続される。
【０４３１】
すなわち、複数の電源盤１００、２００、３００、４００のそれぞれの電源端Ｏ１〜Ｏ４が接続されることにより、複数の電源盤１００、２００、３００、４００のそれぞれの電源端Ｏ１〜Ｏ４がループ状に接続される。
【０４３２】
複数の電源盤１００、２００、３００、４００の電路は、複数の電源盤１００、２００、３００、４００のうちいずれか１つの電源盤の電源端Ｏ１〜Ｏ４と隣接する２つの電源盤の電源端Ｏ１〜Ｏ４のそれぞれが接続される数の電路からなるようにしてもよい。
【０４３３】
例えば、前記電路は、第１電源盤１００と第３電源盤１００が接続される第１電路、第１電源盤１００と第２電源盤２００が接続される第２電路、第３電源盤３００と第４電源盤４００が接続される第３電路、及び第２電源盤２００と第４電源盤４００が接続される第４電路からなるようにしてもよく、また、前記第１〜第４電路がループ状に形成されるようにしてもよい。
【０４３４】
ここで、前記第１電路には第１遮断器１３０ａが備えられ、前記第２電路には第２遮断器１３０ｂが備えられ、前記第３電路には第３遮断器１３０ｃが備えられ、前記第４電路には第４遮断器１３０ｄが備えられ、それぞれ第１〜第４電路の開閉を断続するようにしてもよい。
【０４３５】
よって、複数の遮断器１３０は、複数の電路がループ状に形成された複数の電源盤１００、２００、３００、４００間の接続を断続することができる。
【０４３６】
複数の遮断器１３０は、複数の電源盤１００、２００、３００、４００に対応する数で備えられてもよい。
【０４３７】
複数の遮断器１３０は、複数の電源盤１００、２００、３００、４００がＮ個の場合、Ｎ個備えられてもよい。
【０４３８】
例えば、複数の電源盤１００、２００、３００、４００が４つの場合、すなわちＮが４である場合、複数の遮断器１３０は、４つであってもよい。
【０４３９】
複数の遮断器１３０のそれぞれは、平時に開路され、動作時に閉路されることにより、複数の電源盤１００、２００、３００、４００間の接続を断続するようにしてもよい。
【０４４０】
よって、複数の電源盤１００、２００、３００、４００のそれぞれは、複数の遮断器１３０のそれぞれの開閉により他の電源盤に接続される。
【０４４１】
複数の遮断器１３０は、複数の電源盤１００、２００、３００、４００間で前記ＤＣ電源を接続する場合に閉路され、複数の電源盤１００、２００、３００、４００間で前記ＤＣ電源を切断する場合に開路されるようにしてもよい。
【０４４２】
複数の電源盤１００、２００、３００、４００のそれぞれが複数の遮断器１３０を介して他の電源盤に接続される形態は、図１０に示すようにしてもよい。
【０４４３】
複数の電源盤１００、２００、３００、４００は、図１０に示すように、第１電源盤１００、第２電源盤２００、第３電源盤３００及び第４電源盤４００のそれぞれの電源端Ｏ１〜Ｏ４がリング構造に接続され、複数の電源盤１００、２００、３００、４００のそれぞれの電源端Ｏ１〜Ｏ４間に第１〜第４遮断器１３０ａ〜１３０ｄのそれぞれが備えられるようにしてもよい。
【０４４４】
図１０を参照して、接続形態についてより具体的に説明する。
【０４４５】
図１０を参照して、接続形態についてより具体的に説明する。
【０４４６】
第１電源盤１００の第１電源端Ｏ１は、隣接する第２電源盤２００の第２電源端Ｏ２及び第３電源盤３００の第３電源端Ｏ３に接続され、第１電源端Ｏ１と第２電源端Ｏ２間に第２遮断器１３０ｂが備えられ、第１電源端Ｏ１と第３電源端Ｏ３間に第１遮断器１３０ａが備えられ、第１電源盤１００と第２電源盤２００との接続は第２遮断器１３０ｂにより断続され、第１電源盤１００と第３電源盤３００との接続は第１遮断器１３０ａにより断続される。
【０４４７】
第２電源盤２００の第２電源端Ｏ２は、隣接する第１電源盤１００の第１電源端Ｏ１及び第４電源盤４００の第４電源端Ｏ４に接続され、第１電源端Ｏ１と第２電源端Ｏ２間に第２遮断器１３０ｂが備えられ、第２電源端Ｏ２と第４電源端Ｏ４間に第４遮断器１３０ｄが備えられ、第１電源盤１００と第２電源盤２００との接続は第２遮断器１３０ｂにより断続され、第２電源盤２００と第４電源盤４００との接続は第４遮断器１３０ｄにより断続される。
【０４４８】
第３電源盤３００の第３電源端Ｏ３は、隣接する第１電源盤１００の第１電源端Ｏ１及び第４電源盤４００の第４電源端Ｏ４に接続され、第１電源端Ｏ１と第３電源端Ｏ３間に第１遮断器１３０ａが備えられ、第３電源端Ｏ３と第４電源端Ｏ４間に第３遮断器１３０ｃが備えられ、第１電源盤１００と第３電源盤３００との接続は第１遮断器１３０ａにより断続され、第３電源盤３００と第４電源盤４００との接続は第３遮断器１３０ｃにより断続される。
【０４４９】
第４電源盤４００の第４電源端Ｏ４は、隣接する第２電源盤２００の第２電源端Ｏ２及び第３電源盤３００の第３電源端Ｏ３に接続され、第２電源端Ｏ２と第４電源端Ｏ４間に第４遮断器１３０ｄが備えられ、第３電源端Ｏ３と第４電源端Ｏ４間に第３遮断器１３０ｃが備えられ、第２電源盤２００と第４電源盤４００との接続は第４遮断器１３０ｄにより断続され、第３電源盤３００と第４電源盤４００との接続は第３遮断器１３０ｃにより断続される。
【０４５０】
このように第１〜第４電源盤１００、２００、３００、４００が接続されることにより、複数の電源盤１００、２００、３００、４００の電源端Ｏ１〜Ｏ４がループ状に接続される。
【０４５１】
このように、複数の電源盤１００、２００、３００、４００のそれぞれが隣接する電源盤に接続されることにより、複数の電源盤１００、２００、３００、４００間で前記ＤＣ電源を送ることができるようになる。
【０４５２】
すなわち、複数の電源盤１００、２００、３００、４００のそれぞれが隣接する電源盤に接続され、図１０に示すように、複数の電源盤１００、２００、３００、４００の電源端Ｏ１〜Ｏ４がループ状に接続されることにより、第１電源盤１００は、第２電源盤２００及び第３電源盤３００に接続されて第２電源盤２００又は第３電源盤３００と前記ＤＣ電源の受供給を行い、第２電源盤２００は、第１電源盤１００及び第４電源盤４００に接続されて第１電源盤１００又は第４電源盤４００と前記ＤＣ電源の受供給を行い、第３電源盤３００は、第１電源盤１００及び第４電源盤４００に接続されて第１電源盤１００又は第４電源盤４００と前記ＤＣ電源の受供給を行い、第４電源盤４００は、第２電源盤２００及び第３電源盤３００に接続されて第２電源盤２００又は第３電源盤３００と前記ＤＣ電源の受供給を行うようにしてもよい。
【０４５３】
このようにループ状に接続される複数の電源盤１００、２００、３００、４００は、複数の遮断器１３０のそれぞれの開閉により、複数の電源盤１００、２００、３００、４００間の前記ＤＣ電源の受供給を行うことができる。
【０４５４】
例えば、第１電源盤１００と第３電源盤３００間の電路に接続された第１遮断器１３０ａが閉路された場合、第１電源盤１００と第３電源盤３００間の前記ＤＣ電源の受供給を行うことができ、第１電源盤１００と第２電源盤２００間の電路に接続された第２遮断器１３０ｂが閉路された場合、第１電源盤１００と第２電源盤２００間の前記ＤＣ電源の受供給を行うことができ、第３電源盤３００と第４電源盤４００間の電路に接続された第３遮断器１３０ｃが閉路された場合、第３電源盤３００と第４電源盤４００間の前記ＤＣ電源の受供給を行うことができ、第２電源盤２００と第４電源盤４００間の電路に接続された第４遮断器１３０ｄが閉路された場合、第２電源盤２００と第４電源盤４００間の前記ＤＣ電源の受供給を行うことができる。
【０４５５】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視するようにしてもよい。
【０４５６】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、第１〜第４遮断器１３０ａ〜１３０ｄのそれぞれの開閉を制御するようにしてもよい。
【０４５７】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出するようにしてもよい。
【０４５８】
複数の電源盤１００、２００、３００、４００のそれぞれは、１つ以上の電源供給源１０のいずれかから供給された電源を前記ＤＣ電源に変換するようにしてもよい。
【０４５９】
すなわち、複数の電源盤１００、２００、３００、４００のそれぞれは、１つ以上の電源供給源１０のいずれかから選択的に電源供給を受けるようにしてもよい。
【０４６０】
複数の電源盤１００、２００、３００、４００のそれぞれは、予め設定された供給基準に基づいて、１つ以上の電源供給源１０のいずれかから供給された電源を前記ＤＣ電源に変換するようにしてもよい。
【０４６１】
前記供給基準は、１つ以上の電源供給源１０の電源供給優先順位に関する基準であってもよい。
【０４６２】
複数の電源盤１００、２００、３００、４００は、１つ以上の電源供給源１０の状態によって１つ以上の第１電力変換装置１１０、２１０、３１０、４１０のいずれかを選択し、選択した変換装置により第２電力変換装置１２０、２２０、３２０、４２０に前記ＤＣ電源を送るようにしてもよい。
【０４６３】
すなわち、複数の電源盤１００、２００、３００、４００のそれぞれは、１つ以上の電源供給源１０の状態によって選択した１つの変換装置により第２電力変換装置１２０、２２０、３２０、４２０に前記ＤＣ電源を送るようにしてもよい。
【０４６４】
複数の電源盤１００、２００、３００、４００は、前記駆動電源への変換を行う第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源を送るようにしてもよい。
【０４６５】
すなわち、複数の電源盤１００、２００、３００、４００のそれぞれは、前記ＤＣ電源を送っている変換装置及び前記変換装置に対応する電源供給源のいずれか１つ以上に異常が発生すると、前記変換装置以外の他の変換装置に切り替え、切り替えられた変換装置により第２電力変換装置１２０、２２０、３２０、４２０に前記ＤＣ電源を送るようにしてもよい。
【０４６６】
複数の電源盤１００、２００、３００、４００は、第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源が送られるように、電源供給中の電源供給源及び変換装置を切り替えてもよい。
【０４６７】
複数の遮断器１３０、２３０、３３０、４３０は、複数の電源盤１００、２００、３００、４００の１つ以上の電源供給が中断されると、前記電源供給が中断された電源盤と前記電源供給が中断された電源盤に隣接する電源盤間に配置された遮断器が閉路され、前記電源供給が中断された電源盤を前記隣接する電源盤に接続し、前記隣接する電源盤から前記電源供給が中断された電源盤に前記ＤＣ電源が供給されるようにしてもよい。
【０４６８】
この場合、前記電源供給が中断された電源盤は、前記電源供給が中断されてから前記隣接する電源盤から導通した前記ＤＣ電源が供給されるまで、バッテリ電源Ｂに接続された変換装置から前記ＤＣ電源が供給されるようにしてもよい。
【０４６９】
このようなシステム１０００は、複数の電源盤１００、２００、３００、４００及び複数の遮断器１３０の少なくとも１つの状態を監視し、監視結果に基づいて複数の電源盤１００、２００、３００、４００及び複数の遮断器１３０の少なくとも１つを制御する制御装置６００をさらに含んでもよい。
【０４７０】
すなわち、複数の電源盤１００、２００、３００、４００は、制御装置６００により制御されるようにしてもよい。
【０４７１】
複数の電源盤１００、２００、３００、４００のそれぞれは、制御装置６００と通信を行い、制御装置６００との通信結果に基づいて動作するようにしてもよい。
【０４７２】
例えば、複数の電源盤１００、２００、３００、４００のそれぞれは、制御装置６００から制御命令を受け取り、前記制御命令に基づいて動作するか、又は制御装置６００に状態情報を送信するようにしてもよい。
【０４７３】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、制御装置６００に第１〜第４遮断器１３０ａ〜１３０ｄのそれぞれの開閉制御を要求するようにしてもよい。
【０４７４】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果を制御装置６００に送信するようにしてもよい。
【０４７５】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出した結果を制御装置６００に送信するようにしてもよい。
【０４７６】
ここで、複数の電源盤１００、２００、３００、４００のそれぞれは、１つ以上の第１電力変換装置１１０、２１０、３１０、４１０及び第２電力変換装置１２０、２２０、３２０、４２０を制御し、１つ以上の電源供給源１０、１つ以上の第１電力変換装置１１０、２１０、３１０、４１０、前記ＤＣ電源、前記駆動電源、及び負荷２０の少なくとも１つの異常状態を監視する制御部１４０、２４０、３４０、４４０をさらに含んでもよい。
【０４７７】
ここで、複数の電源盤１００、２００、３００、４００のそれぞれは、１つ以上の第１電力変換装置１１０、２１０、３１０、４１０及び第２電力変換装置１２０、２２０、３２０、４２０を制御し、１つ以上の電源供給源１０、１つ以上の第１電力変換装置１１０、２１０、３１０、４１０、前記ＤＣ電源、前記駆動電源、及び負荷２０の少なくとも１つの異常状態を監視する制御部１４０、２４０、３４０、４４０をさらに含んでもよい。
【０４７８】
制御部１４０、２４０、３４０、４４０は、複数の電源盤１００、２００、３００、４００のそれぞれの中央制御装置であってもよい。
【０４７９】
制御部１４０、２４０、３４０、４４０は、複数の電源盤１００、２００、３００、４００の制御のための複数の制御手段を含んでもよい。
【０４８０】
また、制御部１４０、２４０、３４０、４４０は、複数の電源盤１００、２００、３００、４００の機能実行のための複数の電子機器をさらに含んでもよい。
【０４８１】
例えば、制御部１４０、２４０、３４０、４４０は、複数の電源盤１００、２００、３００、４００の機能実行及び制御のためのソフトウェア／アプリケーション／プログラムが格納される格納手段、前記格納手段が含まれる専用制御手段、通信手段、表示手段及び入力手段の１つ以上を含んでもよい。
【０４８２】
制御部１４０、２４０、３４０、４４０は、制御装置６００により制御されるようにしてもよい。
【０４８３】
制御部１４０、２４０、３４０、４４０は、１つ以上の第１電力変換装置１１０、２１０、３１０、４１０及び第２電力変換装置１２０、２２０、３２０、４２０を制御するＰＬＣ（Programmable Logic Controller）を含んでもよい。
【０４８４】
制御部１４０、２４０、３４０、４４０は、１つ以上の第１電力変換装置１１０、２１０、３１０、４１０及び第２電力変換装置１２０、２２０、３２０、４２０の状態を監視し、監視結果に基づいて１つ以上の第１電力変換装置１１０、２１０、３１０、４１０及び第２電力変換装置１２０、２２０、３２０、４２０の動作を制御するようにしてもよい。
【０４８５】
また、制御部１４０、２４０、３４０、４４０は、１つ以上の電源供給源１０及び負荷２０の状態に基づいて、１つ以上の第１電力変換装置１１０、２１０、３１０、４１０及び第２電力変換装置１２０、２２０、３２０、４２０の動作を制御するようにしてもよい。
【０４８６】
制御部１４０、２４０、３４０、４４０は、１つ以上の第１電力変換装置１１０、２１０、３１０、４１０のそれぞれの動作を制御して、前記ＤＣ電源の変換及び供給を制御してもよい。
【０４８７】
また、制御部１４０、２４０、３４０、４４０は、１つ以上の第１電力変換装置１１０、２１０、３１０、４１０に含まれる開閉手段のそれぞれの開閉を制御してもよい。
【０４８８】
制御部１４０、２４０、３４０、４４０は、第２電力変換装置１２０、２２０、３２０、４２０のそれぞれの動作を制御して、前記駆動電源の変換及び供給を制御してもよい。
【０４８９】
また、制御部１４０、２４０、３４０、４４０は、第２電力変換装置１２０、２２０、３２０、４２０に含まれる開閉手段のそれぞれの開閉を制御してもよい。
【０４９０】
さらに、制御部１４０、２４０、３４０、４４０は、外部の通信装置及び制御装置６００の少なくとも１つと通信を行い、通信実行結果に基づいて、１つ以上の第１電力変換装置１１０、２１０、３１０、４１０及び第２電力変換装置１２０、２２０、３２０、４２０の動作を制御するようにしてもよい。
【０４９１】
例えば、制御部１４０、２４０、３４０、４４０は、制御装置６００から１つ以上の第１電力変換装置１１０、２１０、３１０、４１０及び第２電力変換装置１２０、２２０、３２０、４２０の少なくとも１つの動作制御に関する制御命令を受け取り、前記制御命令に基づいて１つ以上の第１電力変換装置１１０、２１０、３１０、４１０及び第２電力変換装置１２０、２２０、３２０、４２０の少なくとも１つの動作を制御してもよい。
【０４９２】
制御部１４０、２４０、３４０、４４０は、１つ以上の電源供給源１０のいずれかから供給された電源が前記ＤＣ電源に変換されるように制御してもよい。
【０４９３】
すなわち、制御部１４０、２４０、３４０、４４０は、１つ以上の電源供給源１０のいずれかから選択的に電源が供給されるように制御してもよい。
【０４９４】
制御部１４０、２４０、３４０、４４０は、予め設定された供給基準に基づいて、１つ以上の電源供給源１０のいずれかから供給された電源が前記ＤＣ電源に変換されるように制御してもよい。
【０４９５】
前記供給基準は、１つ以上の電源供給源１０の電源供給優先順位に関する基準であってもよい。
【０４９６】
例えば、前記電源供給優先順位は、第１交流電源１０＃１、第２交流電源１０＃３、バッテリ電源１０＃２の順に設定されてもよい。
【０４９７】
前記供給基準が前記電源供給優先順位に関する基準である場合、制御部１４０、２４０、３４０、４４０は、第１交流電源１０＃１、第２交流電源１０＃３、バッテリ電源１０＃２の順に電源を供給するように制御してもよい。
【０４９８】
制御部１４０、２４０、３４０、４４０は、第１交流電源１０＃１から電源が供給される場合、第１交流電源１０＃１に接続された第１変換装置１１０＃１、２１０＃１、３１０＃１、４１０＃１の動作を制御するようにしてもよい。
【０４９９】
この場合、制御部１４０、２４０、３４０、４４０は、第１変換装置１１０＃１、２１０＃１、３１０＃１、４１０＃１の開閉手段を閉路し、第２変換装置１１０＃２、２１０＃２、３１０＃２、４１０＃２及び第３変換装置１１０＃３、２１０＃３、３１０＃３、４１０＃３の開閉手段を開路することにより、第１変換装置１１０＃１、２１０＃１、３１０＃１、４１０＃１を接続し、第２変換装置１１０＃２、２１０＃２、３１０＃２、４１０＃２及び第３変換装置１１０＃３、２１０＃３、３１０＃３、４１０＃３を分離するようにしてもよい。
【０５００】
制御部１４０、２４０、３４０、４４０は、第２交流電源１０＃３から電源が供給される場合、第２交流電源１０＃３に接続された第３変換装置１１０＃３、２１０＃３、３１０＃３、４１０＃３の動作を制御するようにしてもよい。
【０５０１】
この場合、制御部１４０、２４０、３４０、４４０は、第３変換装置１１０＃３、２１０＃３、３１０＃３、４１０＃３の開閉手段を閉路し、第１変換装置１１０＃１、２１０＃１、３１０＃１、４１０＃１及び第２変換装置１１０＃２、２１０＃２、３１０＃２、４１０＃２の開閉手段を開路することにより、第３変換装置１１０＃３、２１０＃３、３１０＃３、４１０＃３を接続し、第１変換装置１１０＃１、２１０＃１、３１０＃１、４１０＃１及び第２変換装置１１０＃２、２１０＃２、３１０＃２、４１０＃２を分離するようにしてもよい。
【０５０２】
制御部１４０、２４０、３４０、４４０は、バッテリ電源１０＃２から電源が供給される場合、バッテリ電源１０＃２に接続された第２変換装置１１０＃２、２１０＃２、３１０＃２、４１０＃２の動作を制御するようにしてもよい。
【０５０３】
この場合、制御部１４０、２４０、３４０、４４０は、第２変換装置１１０＃２、２１０＃２、３１０＃２、４１０＃２の開閉手段を閉路し、第１変換装置１１０＃１、２１０＃１、３１０＃１、４１０＃１及び第３変換装置１１０＃３、２１０＃３、３１０＃３、４１０＃３の開閉手段を開路することにより、第２変換装置１１０＃２、２１０＃２、３１０＃２、４１０＃２を接続し、第１変換装置１１０＃１、２１０＃１、３１０＃１、４１０＃１及び第３変換装置１１０＃３、２１０＃３、３１０＃３、４１０＃３を分離するようにしてもよい。
【０５０４】
制御部１４０、２４０、３４０、４４０は、１つ以上の電源供給源１０の状態によって１つ以上の第１電力変換装置１１０、２１０、３１０、４１０のいずれかを選択し、第２電力変換装置１２０、２２０、３２０、４２０に前記ＤＣ電源を送るように制御してもよい。
【０５０５】
すなわち、制御部１４０、２４０、３４０、４４０は、１つ以上の第１電力変換装置１１０、２１０、３１０、４１０から選択した変換装置により、供給された電源を前記ＤＣ電源に変換して第２電力変換装置１２０に送るように制御してもよい。
【０５０６】
例えば、１つ以上の電源供給源１０のうち、第１交流電源１０＃１及び第２交流電源１０＃３に異常が発生すると、バッテリ電源１０＃２に接続された第２変換装置１１０＃２、２１０＃２、３１０＃２、４１０＃２を選択し、第２変換装置１１０＃２、２１０＃２、３１０＃２、４１０＃２がバッテリ電源１０＃２から電源供給を受けて前記ＤＣ電源に変換し、前記ＤＣ電源を第２電力変換装置１２０、２２０、３２０、４２０のそれぞれに送るように制御してもよい。
【０５０７】
制御部１４０、２４０、３４０、４４０は、第２電力変換装置１２０、２２０、３２０、４２０に前記ＤＣ電源を送っている変換装置１１０、２１０、３１０、４１０及び変換装置１１０、２１０、３１０、４１０に対応する電源供給源１０のいずれか１つ以上に異常が発生すると、変換装置１１０、２１０、３１０、４１０以外の他の変換装置１１０、２１０、３１０、４１０により第２電力変換装置１２０、２２０、３２０、４２０に前記ＤＣ電源を送るように制御してもよい。
【０５０８】
制御部１４０、２４０、３４０、４４０は、第２電力変換装置１２０、２２０、３２０、４２０に前記ＤＣ電源を送っている変換装置１１０、２１０、３１０、４１０及び変換装置１１０、２１０、３１０、４１０に対応する電源供給源１０のいずれか１つ以上に異常が発生すると、変換装置１１０、２１０、３１０、４１０以外の他の変換装置１１０、２１０、３１０、４１０により第２電力変換装置１２０、２２０、３２０、４２０に前記ＤＣ電源が送られるように、電源供給中の電源供給源１０及び変換装置１１０、２１０、３１０、４１０を切り替えてもよい。
【０５０９】
例えば、制御部１４０、２４０、３４０、４４０は、第１変換装置１１０＃１、２１０＃１、３１０＃１、４１０＃１が第１交流電源１０＃１から供給された電源を前記ＤＣ電源に変換している間に、第１変換装置１１０＃１、２１０＃１、３１０＃１、４１０＃１が故障したり、第１交流電源１０＃１にシャットダウンが発生すると、第３変換装置１１０＃３、２１０＃３、３１０＃３、４１０＃３が第２交流電源１０＃３から供給された電源を前記ＤＣ電源に変換して前記ＤＣ電源を第２電力変換装置１２０、２２０、３２０、４２０に送るように、電源供給中の第１交流電源１０＃１を第２交流電源１０＃３に切り替え、第１変換装置１１０＃１、２１０＃１、３１０＃１、４１０＃１を第３変換装置１１０＃３、２１０＃３、３１０＃３、４１０＃３に切り替えてもよい。
【０５１０】
このように１つ以上の第１電力変換装置１１０、２１０、３１０、４１０及び第２電力変換装置１２０、２２０、３２０、４２０を制御する制御部１４０、２４０、３４０、４４０は、前記ＤＣ電源又は前記駆動電源の状態によって前記ＤＣ電源の受供給を制御装置６００に要求するようにしてもよい。
【０５１１】
例えば、前記駆動電源の大きさが負荷２０の必要とする大きさより小さい場合、又は前記ＤＣ電源が不足した場合は、複数の遮断器１３０を閉路して他の電源盤１００、２００、３００もしくは４００から前記ＤＣ電源が供給されるように、制御装置６００に要求してもよい。
【０５１２】
また、前記駆動電源の大きさが負荷２０の必要とする大きさより大きい場合、又は前記ＤＣ電源に余裕がある場合は、複数の遮断器１３０を閉路して他の電源盤１００、２００、３００もしくは４００に前記ＤＣ電源が供給されるように、制御装置６００に要求してもよい。
【０５１３】
それとは逆に、１つ以上の第１電力変換装置１１０、２１０、３１０、４１０又は第２電力変換装置１２０、２２０、３２０、４２０に故障が発生して電源端Ｏ１〜Ｏ４に事故電流が流れたり、１つ以上の電源供給源１０又は負荷２０に異常が発生して電源端Ｏ１〜Ｏ４に事故電流が流れた場合は、複数の遮断器１３０を開路して前記事故電流が他の電源盤１００、２００、３００もしくは４００に供給されることを防止するように、制御装置６００に要求してもよい。
【０５１４】
制御部１４０、２４０、３４０、４４０は、１つ以上の電源供給源１０に異常が発生すると、複数の遮断器１３０を閉路し、電源端Ｏ１〜Ｏ４に接続された他の電源盤１００、２００、３００もしくは４００から前記ＤＣ電源が供給されるように、制御装置６００に制御を要求してもよい。
【０５１５】
制御部１４０、２４０、３４０、４４０は、電源端Ｏ１〜Ｏ４に接続された他の電源盤１００、２００、３００もしくは４００に異常が発生すると、複数の遮断器１３０を閉路し、他の電源盤１００、２００、３００もしくは４００に前記ＤＣ電源が供給されるように、制御装置６００に制御を要求してもよい。
【０５１６】
制御部１４０、２４０、３４０、４４０は、電源端Ｏ１〜Ｏ４に接続された他の電源盤１００、２００、３００もしくは４００に異常が発生すると、１つ以上の電源供給源１０のいずれかからさらに電源が供給されるように制御し、複数の遮断器１３０を閉路し、電源端Ｏ１〜Ｏ４を介して、さらに電源を供給するように制御した供給源１０及びそれに対応する変換装置１１０、２１０、３１０、４１０で変換された前記ＤＣ電源が他の電源盤１００、２００、３００もしくは４００に供給されるように、制御装置６００に制御を要求してもよい。
【０５１７】
制御装置６００は、複数の遮断器１３０の動作を制御することにより、前記ＤＣ電源の受給及び供給を制御するようにしてもよい。
【０５１８】
例えば、複数の遮断器１３０を閉路することにより、複数の電源盤１００、２００、３００、４００間で前記ＤＣ電源を受給又は供給するように制御してもよい。
【０５１９】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれを制御してもよい。
【０５２０】
例えば、複数の電源盤１００、２００、３００、４００のそれぞれから受信した前記ＤＣ電源及び前記駆動電源の状態情報に基づいて、複数の電源盤１００、２００、３００、４００のそれぞれの前記ＤＣ電源の変換及び供給と、複数の電源盤１００、２００、３００、４００のそれぞれの前記駆動電源の変換及び供給を制御してもよい。
【０５２１】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれの前記駆動電源の変換及び供給を制御するか、又は複数の遮断器１３０を制御してもよい。
【０５２２】
また、制御装置６００は、１つ以上の電源供給源１０及び負荷２０の状態を検知するか、又は外部の通信手段から１つ以上の電源供給源１０及び負荷２０の状態に関する情報を受信し、１つ以上の電源供給源１０及び負荷２０の状態に基づいて、複数の電源盤１００、２００、３００、４００のそれぞれの前記駆動電源の変換及び供給を制御するか、又は複数の遮断器１３０を制御してもよい。
【０５２３】
この場合、制御装置６００が複数の電源盤１００、２００、３００、４００のそれぞれの前記駆動電源の変換及び供給の制御、又は複数の遮断器１３０の制御に関する制御命令を、複数の電源盤１００、２００、３００、４００のそれぞれ、又は複数の遮断器１３０のそれぞれに送り、複数の電源盤１００、２００、３００、４００のそれぞれに含まれる制御部１４０、２４０、３４０、４４０により前記制御命令に基づいた制御、又は複数の遮断器１３０のそれぞれの開閉制御が行われる。
【０５２４】
例えば、複数の電源盤１００、２００、３００、４００に電源を供給している系統電源Ｇ全体に異常が発生すると、系統電源Ｇからの電源供給を遮断して他の供給源に切り替えるように、複数の遮断器１３０を開路し、系統電源Ｇを除く電源から電源供給を受けて前記ＤＣ電源に変換して供給するように制御する制御命令を複数の電源盤１００、２００、３００、４００のそれぞれに含まれる制御部１４０、２４０、３４０、４４０に送り、複数の遮断器１３０のそれぞれを開路し、バイパス電源Ｐ又はバッテリ電源Ｂから電源供給を受けて前記ＤＣ電源に変換して供給するように制御してもよい。
【０５２５】
制御装置６００は、複数の遮断器１３０の開閉を制御することにより、複数の電源盤１００、２００、３００、４００に前記ＤＣ電源が送られるように制御してもよい。
【０５２６】
制御装置６００は、複数の電源盤１００、２００、３００、４００のいずれか１つ以上に異常が発生すると、前記異常が発生した電源盤と前記異常が発生した電源盤に隣接する電源盤が接続された電路のいずれか１つの電路の遮断器を閉路し、前記隣接する電源盤から前記異常が発生した電源盤に前記ＤＣ電源が供給されるように制御してもよい。
【０５２７】
すなわち、制御装置６００は、複数の電源盤１００、２００、３００、４００のいずれか１つ以上に異常が発生すると、前記異常が発生した電源盤に接続された遮断器１３０のいずれかを閉路し、前記隣接する電源盤から前記異常が発生した電源盤に前記ＤＣ電源が供給されるように制御してもよい。
【０５２８】
例えば、複数の電源盤１００、２００、３００、４００のうち第１電源盤１００の変換装置１１０に故障が発生すると、第２電源盤２００又は第３電源盤３００のいずれかの変換装置２１０又は３１０で変換されたＤＣ電源を第１電源盤１００の第２電力変換装置１２０に供給するように、第１電源盤１００と第２電源盤２００が接続される電路の第２遮断器１３０ｂ、又は第１電源盤１００と第３電源盤３００が接続される電路の第１遮断器１３０ａを閉路し、第１電源盤１００の１つ以上の第１電力変換装置１１０を遮断し、第２電源盤２００又は第３電源盤３００の１つ以上の第１電力変換装置２１０又は３１０のいずれかで変換された前記ＤＣ電源を第１電源盤１００の第２電力変換装置１２０に供給するように制御する制御命令を、第１電源盤１００と第２電源盤２００又は第３電源盤３００、第２遮断器１３０ｂ又は第１遮断器１３０ａのそれぞれに送り、第２遮断器１３０ｂ又は第１遮断器１３０ａを閉路し、第２電源盤２００又は第３電源盤３００の１つ以上の第１電力変換装置２１０又は３１０のいずれかが前記ＤＣ電源を第１電源盤１００の第２電力変換装置１２０に供給するように制御してもよい。
【０５２９】
すなわち、複数の電源盤１００、２００、３００、４００のそれぞれは、隣接する電源盤に異常が発生すると、前記異常が発生した電源盤の負荷２０に前記ＤＣ電源を供給するようにしてもよい。
【０５３０】
ここで、複数の電源盤１００、２００、３００、４００は、前記異常が発生した電源盤に前記ＤＣ電源を供給する場合、１つ以上の電源供給源１０の状態によって前記ＤＣ電源への変換を行う１つ以上の第１電力変換装置１１０、２１０、３１０、４１０のいずれかを選択し、選択したコンバータにより前記異常が発生した電源盤に前記ＤＣ電源を送るようにしてもよい。
【０５３１】
すなわち、複数の電源盤１００、２００、３００、４００は、前記異常が発生した電源盤に前記ＤＣ電源を供給する場合、１つ以上の電源供給源１０の状態によって選択した１つのコンバータにより前記異常が発生した電源盤に前記ＤＣ電源を供給するようにしてもよい。
【０５３２】
例えば、第２電源盤２００が第１電源盤１００に前記ＤＣ電源を供給する際に、第２電源盤２００に電源を供給している１つ以上の電源供給源１０のうち系統電源Ｇ及びバイパス電源Ｐの定格が基準定格より低い場合、バッテリ電源Ｂにより前記ＤＣ電源を供給するようにバッテリ電源Ｂに対応する第２変換装置２１０＃２を選択し、選択した第２変換装置２１０＃２によりバッテリ電源Ｂから供給された電源を前記ＤＣ電源に変換して第１電源盤１００に送るようにしてもよい。
【０５３３】
制御装置６００は、複数の電源盤１００、２００、３００、４００のいずれか１つ以上に異常が発生すると、前記異常が発生した電源盤に隣接する複数の電源盤が接続された電路の遮断器１３０の全てを閉路し、前記隣接する電源盤の全てから前記異常が発生した電源盤に前記ＤＣ電源が供給されるように制御してもよい。
【０５３４】
すなわち、制御装置６００は、複数の電源盤１００、２００、３００、４００のいずれか１つ以上に異常が発生すると、前記異常が発生した電源盤に接続された遮断器１３０の全てを閉路し、前記隣接する電源盤の全てから前記異常が発生した電源盤に前記ＤＣ電源が供給されるように制御してもよい。
【０５３５】
例えば、第１電源盤１００に異常が発生した場合は、第１電源盤１００に隣接する第２電源盤２００との接続を断続する第２遮断器１３０ｂ及び第３電源盤３００との接続を断続する第１遮断器１３０ａを閉路し、隣接する第２電源盤２００及び第３電源盤３００から第１電源盤１００に前記ＤＣ電源が供給されるようにしてもよい。
【０５３６】
制御装置６００は、前記異常が発生した電源盤が複数の場合、前記異常が発生した電源盤のそれぞれに最も隣接する電源盤の接続を断続する複数の遮断器１３０を閉路し、前記隣接する電源盤のそれぞれから前記異常が発生した電源盤のそれぞれに前記ＤＣ電源が供給されるように制御してもよい。
【０５３７】
すなわち、制御装置６００は、前記異常が発生した電源盤が複数の場合、前記異常が発生した電源盤のそれぞれに隣接する複数の電源盤のそれぞれから前記異常が発生した電源盤のそれぞれに前記ＤＣ電源が供給されるように制御してもよい。
【０５３８】
例えば、第１電源盤１００及び第２電源盤２００に故障が発生した場合、第１電源盤１００と第３電源盤３００の接続を断続する第１遮断器１３０ａ及び第２電源盤２００と第４電源盤４００の接続を断続する第４遮断器１３０ｄを閉路し、第１電源盤１００には第３電源盤３００から前記ＤＣ電源が供給され、第２電源盤２００には第４電源盤４００から前記ＤＣ電源が供給されるようにしてもよい。
【０５３９】
このように、複数の電源盤１００、２００、３００、４００のいずれか１つ以上に異常が発生すると、前記異常が発生した電源盤に隣接する電源盤の接続を断続する遮断器１３０を閉路し、前記隣接する電源盤から前記異常が発生した電源盤に前記ＤＣ電源が供給されるように制御することにより、複数の電源盤１００、２００、３００、４００のそれぞれがＵＰＳ機能を実行することができる。
【０５４０】
よって、システム１０００においては、１つ以上の電源供給源１０、複数の電源盤１００、２００、３００、４００及び負荷２０に予期せぬ異常が発生した場合も、負荷２０への前記駆動電源の供給を維持し続けることができ、負荷２０の運転を中断することなく維持することができ、異常発生に対処して適切かつ能動的に電源供給を行うことができ、異常発生の種類及び程度に関係なく負荷２０の運転及びシステム１０００の制御を安定して行うことができる。
【０５４１】
以上説明したようなシステム１０００の運転は、図１３〜図１６に示すように行われるようにしてもよい。
【０５４２】
図１３〜図１６に示す運転例は、システム１０００が４つの電源盤１００、２００、３００、４００を含む場合の運転例であり、システム１０００は、複数の電源盤１００、２００、３００、４００を４つ未満又は４つ以上含んでもよい。
【０５４３】
好ましい実施形態として、システム１０００は、図１３〜図１６に示すように、４つの電源盤１００、２００、３００、４００を含んでもよい。以下、図１３〜図１６に示すように複数の電源盤１００、２００、３００、４００が４つである場合を例に挙げて説明する。
【０５４４】
図１３は複数の電源盤１００、２００、３００、４００のそれぞれが１つ以上の電源供給源１０のうち系統電源Ｇから電源供給を受ける場合であり、この場合、バイパス電源Ｐ及びバッテリ電源Ｂからの電源供給は遮断され、系統電源Ｇから電源供給を受けて前記ＤＣ電源、前記駆動電源の順に変換して負荷２０のそれぞれに供給する。
【０５４５】
図１３に示す運転例は、系統電源Ｇから電源供給を受けて運転する一般的な運転の場合であり、システム１０００の平時運転はこのように行われる。
【０５４６】
図１４は複数の電源盤１００、２００、３００、４００のそれぞれが１つ以上の電源供給源１０のうちバイパス電源Ｐから電源供給を受ける場合であり、系統電源Ｇに異常が発生した場合がこれに該当し、この場合、系統電源Ｇ及びバッテリ電源Ｂからの電源供給は遮断され、バイパス電源Ｐから電源供給を受けて前記ＤＣ電源、前記駆動電源の順に変換して負荷２０のそれぞれに供給する。
【０５４７】
図１４に示す運転例は、バイパス電源Ｐから電源供給を受けて運転する特殊運転の場合であり、システム１０００の特殊運転はこのように行われる。
【０５４８】
図１５は複数の電源盤１００、２００、３００、４００のそれぞれが１つ以上の電源供給源１０のうちバッテリ電源Ｂから電源供給を受ける場合であり、系統電源Ｇ及びバイパス電源Ｐに異常が発生した場合がこれに該当し、この場合、系統電源Ｇ及びバイパス電源Ｐからの電源供給は遮断され、バッテリ電源Ｂから電源供給を受けて前記ＤＣ電源、前記駆動電源の順に変換して負荷２０のそれぞれに供給する。
【０５４９】
図１５に示す運転例は、バッテリ電源Ｂから電源供給を受けて運転する停電運転の場合であり、システム１０００の停電運転はこのように行われる。
【０５５０】
図１６は複数の電源盤１００、２００、３００、４００のそれぞれが１つ以上の電源供給源１０のうち非常用電源Ａから電源供給を受ける場合であり、系統電源Ｇ、バイパス電源Ｐ及びバッテリ電源Ｂに異常が発生した場合がこれに該当し、この場合、系統電源Ｇ、バイパス電源Ｐ及びバッテリ電源Ｂからの電源供給は遮断され、非常用電源Ａが負荷２０のそれぞれに前記駆動電源を直接供給する。
【０５５１】
図１６に示す運転例は、非常用電源Ａから電源供給を受けて運転する非常運転の場合であり、システム１０００の非常運転はこのように行われる。
【０５５２】
このように、システム１０００は、複数の電源盤１００、２００、３００、４００のそれぞれが同じ電源供給源から電源供給を受けて運転するようにしてもよく、複数の電源盤１００、２００、３００、４００のそれぞれが１つ以上の電源供給源１０のいずれかから選択的に電源供給を受けて運転するようにしてもよい。
【０５５３】
例えば、第１及び第２電源盤１００、２００は系統電源Ｇから電源供給を受けて運転し、第３及び第４電源盤３００、４００はバイパス電源Ｐから電源供給を受けて運転するようにしてもよい。
【０５５４】
また、複数の電源盤１００、２００、３００、４００のそれぞれは、１つ以上の電源供給源１０から電源供給を受けて運転するようにしてもよい。
【０５５５】
例えば、第１電源盤１００に異常が発生して第２電源盤２００から第１電源盤１００に前記ＤＣ電源を供給する場合、第２電源盤２００が、系統電源Ｇから供給された電源を第２−１変換装置２１０＃１により前記ＤＣ電源に変換して第２電力変換装置２２０のそれぞれに送り、さらにバイパス電源Ｐから供給された電源を第２−３変換装置２１０＃３により前記ＤＣ電源に変換し、第２−３変換装置２１０＃３で変換された前記ＤＣ電源を第１電源盤１００の第２電力変換装置１２０のそれぞれに送るようにしてもよい。
【０５５６】
この例においては、第１電源盤１００と第２電源盤２００が接続される電路の第２遮断器１３０ｂを閉路することにより、第１電源盤１００と第２電源盤２００とが接続され、第２電源盤２００から第１電源盤１００への前記ＤＣ電源の供給が行われる。
【０５５７】
このように、複数の電源盤１００、２００、３００、４００のそれぞれが１つ以上の電源供給源１０から電源供給を受けて運転することにより、複数の電源盤１００、２００、３００、４００間の電源供給、すなわち複数の電源盤１００、２００、３００、４００間のＵＰＳ機能の実行を行うことができる。
【０５５８】
前述したような本発明の実施形態による電源供給システムは、ＤＣ電源を供給／使用する電源モジュール、電源供給システム、電源供給システムの運用方法に適用することができる。特に、ＤＣ ＵＰＳモジュール及びそれを備える電源供給システムに有効に適用することができ、複数のモータ負荷を制御するモータ制御盤、モータ制御システム、モータ運転システムなどにも適用して実施することができる。
【０５５９】
以上、本発明の具体的な実施形態について説明したが、本発明の範囲から外れない限り、様々な変形が可能であることは言うまでもない。よって、本発明の範囲は、上記実施形態に限定して定められるものではなく、請求の範囲及びその均等物などにより定められるべきである。
【０５６０】
以上、本発明を限定された実施形態と図面により説明したが、本発明は、上記実施形態に限定されるものではなく、本発明の属する技術の分野における通常の知識を有する者であれば、その記載から様々な変更及び変形が可能である。よって、本発明の思想は、請求の範囲によってのみ把握されるべきであり、その均等又は等価的変形の全てが本発明の思想のカテゴリーに属するといえる。
【符号の説明】
【０５６１】
１０  電源供給源
２０  負荷
１００（２００、３００）  電源供給装置（電源盤）
１１０（２１０、３１０、４１０）  第１電力変換装置（コンバータ）
１２０（２２０、３２０、４２０）  第２電力変換装置（インバータ）
１３０（２３０、３３０）  遮断器
１３０ａ〜１３０ｄ  第１〜第４遮断器
１４０（２４０、３４０、４４０）  制御部
４００  供給盤
６００  制御装置
１０００  電源供給システム
【図１】
2021536219.tif 000003
【図２】
2021536219.tif 000004
【図３】
2021536219.tif 000005
【図４】
2021536219.tif 000006
【図５Ａ】
2021536219.tif 000007
【図５Ｂ】
2021536219.tif 000008
【図６】
2021536219.tif 000009
【図７】
2021536219.tif 000010
【図８】
2021536219.tif 000011
【図９】
2021536219.tif 000012
【図１０】
2021536219.tif 000013
【図１１】
2021536219.tif 000014
【図１２】
2021536219.tif 000015
【図１３】
2021536219.tif 000016
【図１４】
2021536219.tif 000017
【図１５】
2021536219.tif 000018
【図１６】
2021536219.tif 000019
【国際調査報告】
2021536219.tif 000020
2021536219.tif 000021
2021536219.tif 000022
2021536219.tif 000023